(57)【要約】  外部機器が入力する入力映像を表示する画像処理装置は、記憶手段に記憶された第一の画像を取得する第一の画像取得手段と、前記入力映像から第二の画像を取得する第二の画像取得手段と、前記外部機器から入力された前記入力映像が所定の条件を満たさない場合、前記第一の画像を表示せずに前記第二の画像を表示させると判断し、前記外部機器から入力された前記入力映像が前記所定の条件を満たす場合、前記第一の画像と前記第二の画像を表示させると判断し、前記外部機器から前記入力映像が入力されていない場合、前記第一の画像を表示させると判断する画像判断手段と、前記画像判断手段が前記第一の画像と前記第二の画像を表示させると判断した場合、前記第一の画像と前記第二の画像を重畳する画像重畳手段と、前記画像重畳手段が重畳した前記第一の画像と前記第二の画像を表示部に表示する表示手段と、を有する。
2017110505.tif 000002
【特許請求の範囲】
【請求項１】
外部機器が入力する入力映像を表示する画像処理装置であって、
記憶手段に記憶された第一の画像を取得する第一の画像取得手段と、
前記入力映像から第二の画像を取得する第二の画像取得手段と、
前記外部機器から入力された前記入力映像が所定の条件を満たさない場合、前記第一の画像を表示せずに前記第二の画像を表示させると判断し、前記外部機器から入力された前記入力映像が前記所定の条件を満たす場合、前記第一の画像と前記第二の画像を表示させると判断し、前記外部機器から前記入力映像が入力されていない場合、前記第一の画像を表示させると判断する画像判断手段と、
前記画像判断手段が前記第一の画像と前記第二の画像を表示させると判断した場合、前記第一の画像と前記第二の画像を重畳する画像重畳手段と、
前記画像重畳手段が重畳した前記第一の画像と前記第二の画像を表示部に表示する表示手段と、を有する画像処理装置。
【請求項２】
前記第一の画像取得手段は、少なくとも一部に透明度に関する情報を有する前記第一の画像を取得する請求項１に記載の画像処理装置。
【請求項３】
外部から透明度に関する情報を有する前記第一の画像を取り込み、前記記憶手段に記憶させる画像取り込み手段を有する請求項１又は２に記載の画像処理装置。
【請求項４】
前記第一の画像は、所定の文字を有するか又は均一色である請求項２又は３に記載の画像処理装置。
【請求項５】
前記第一の画像の一部又は全体の透明度の設定を受け付ける透明度受付手段を有する請求項２〜４のいずれか１項に記載の画像処理装置。
【請求項６】
前記透明度受付手段は、複数の画像を表示し、前記複数の画像から選択された一つの画像を前記第一の画像として受け付け、
前記第一の画像取得手段は選択された前記第一の画像を前記記憶手段から取得する請求項５に記載の画像処理装置。
【請求項７】
前記画像判断手段は、前記外部機器から入力された前記入力映像が動画である場合、前記第一の画像を表示せず、前記第二の画像を表示させると判断し、
前記画像判断手段は、前記外部機器から入力された前記入力映像が動画でない場合、前記第一の画像及び前記第二の画像を表示させると判断する請求項１〜６のいずれか１項に記載の画像処理装置。
【請求項８】
所定の操作により前記第二の画像を静止画として取得する静止画取得手段を有し、
前記静止画取得手段が前記静止画を取得した場合、前記入力映像が入力されていても、前記画像判断手段は前記第二の画像を表示せず、前記静止画と共に前記第一の画像を表示させると判断する請求項１〜７のいずれか１項に記載の画像処理装置。
【請求項９】
所定の操作に応答して前記第二の画像を静止画として取得する静止画取得手段を有し、
前記所定の操作が行われた後に、前記表示手段は前記静止画と前記第一の画像を所定時間表示し、
前記所定時間が経過した後に、前記表示手段は前記第二の画像を表示する請求項１〜７のいずれか１項に記載の画像処理装置。
【請求項１０】
外部機器が入力する入力映像を表示する画像処理装置が行う画像表示方法であって、
第一の画像取得手段が、記憶手段に記憶された第一の画像を取得するステップと、
第二の画像取得手段が、前記入力映像から第二の画像を取得するステップと、
画像判断手段が、前記外部機器から入力された前記入力映像が所定の条件を満たさない場合、前記第一の画像を表示せずに前記第二の画像を表示させると判断し、前記外部機器から入力された前記入力映像が前記所定の条件を満たす場合、前記第一の画像と前記第二の画像を表示させると判断し、前記外部機器から前記入力映像が入力されていない場合、前記第一の画像を表示させると判断するステップと、
画像重畳手段が、前記画像判断手段が前記第一の画像と前記第二の画像を表示させると判断した場合、前記第一の画像と前記第二の画像を重畳するステップと、
表示手段が、前記画像重畳手段が重畳した前記第一の画像と前記第二の画像を表示部に表示するステップと、を有する画像表示方法。
【請求項１１】
外部機器が入力する入力映像を表示する画像処理装置を、
記憶手段に記憶された第一の画像を取得する第一の画像取得手段と、
前記入力映像から第二の画像を取得する第二の画像取得手段と、
前記外部機器から入力された前記入力映像が所定の条件を満たさない場合、前記第一の画像を表示せずに前記第二の画像を表示させると判断し、前記外部機器から入力された前記入力映像が前記所定の条件を満たす場合、前記第一の画像と前記第二の画像を表示させると判断し、前記外部機器から前記入力映像が入力されていない場合、前記第一の画像を表示させると判断する画像判断手段と、
前記画像判断手段が前記第一の画像と前記第二の画像を表示させると判断した場合、前記第一の画像と前記第二の画像を重畳する画像重畳手段と、
前記画像重畳手段が重畳した前記第一の画像と前記第二の画像を表示部に表示する表示手段、として機能させるためのプログラム。
【発明の詳細な説明】
【技術分野】
【０００１】
本発明は、画像処理装置、画像表示方法及びプログラムに関する。
【背景技術】
【０００２】
大型のフラットパネルディスプレイにタッチパネルが搭載された電子黒板が知られている。電子黒板は黒板の役割をする画面を表示し、電子ペンや指など指示体が接触した座標をタッチパネルで検出し、座標の軌跡を手書き内容として画面に描画する。したがって、ユーザは画面を黒板のように使用することができる。【０００３】
また、ＰＣ（Personal Computer）と接続することができる電子黒板では、ＰＣと同じ画面をディスプレイに表示して手書き内容を重畳して描画することができる（例えば、特許文献１参照。）。特許文献１には、外部の情報処理装置から送信された動画を画像データに変換して保存したり再表示させたりする表示装置について開示されている。【０００４】
電子黒板はディスプレイに表示した映像を取り込む（キャプチャする）機能を有しており、手書き内容に限られずＰＣから入力された映像を静止画として取り込むことができる。
【発明の概要】
【発明が解決しようとする課題】
【０００５】
しかしながら、電子黒板のディスプレイに表示された映像のうち会議などへの参加者が所望する映像を取り込むことができない場合があるという問題がある。以下、具体的な例を説明する。【０００６】
まず、電子黒板が使用される際、ＰＣなどからの映像とは別に半透明の任意の画像を表示したいという要請がある。例えば、任意の画像を半透明にして電子黒板が表示すれば、会議への参加者等は半透明の画像を見ながら手書き内容等を見ることができる。半透明の画像に「Confidential」や「秘」という文字が記載されていれば、参加者等はディスプレイに表示されている情報の秘匿性が高いことを常に意識できる。【０００７】
しかし、半透明の画像が常に表示されていると、参加者は半透明の画像が邪魔になって、静止画として取り込みたいＰＣの映像を特定しにくい場合がある。例えば、ＰＣの映像のうち参加者がよく見たい場所に「Confidential」等の文字が重なっている場合、参加者はＰＣの映像を取り込んでよいかどうかを確認しづらい。【０００８】
本発明は、上記課題に鑑み、表示中の画像の見やすさが低下することを抑制することができる電子黒板を提供することを目的とする。
【課題を解決するための手段】
【０００９】
上記課題に鑑み、本発明の一つの実施形態によれば、外部機器が入力する入力映像を表示する画像処理装置は、記憶手段に記憶された第一の画像を取得する第一の画像取得手段と、前記入力映像から第二の画像を取得する第二の画像取得手段と、前記外部機器から入力された前記入力映像が所定の条件を満たさない場合、前記第一の画像を表示せずに前記第二の画像を表示させると判断し、前記外部機器から入力された前記入力映像が前記所定の条件を満たす場合、前記第一の画像と前記第二の画像を表示させると判断し、前記外部機器から前記入力映像が入力されていない場合、前記第一の画像を表示させると判断する画像判断手段と、前記画像判断手段が前記第一の画像と前記第二の画像を表示させると判断した場合、前記第一の画像と前記第二の画像を重畳する画像重畳手段と、前記画像重畳手段が重畳した前記第一の画像と前記第二の画像を表示部に表示する表示手段と、を有する。
【発明の効果】
【００１０】
表示中の画像の見やすさが低下することを抑制することができる画像処理装置を提供することができる。
【図面の簡単な説明】
【００１１】
【図１Ａ】電子黒板の動作の概略の例を説明する図である。
【図１Ｂ】電子黒板の動作の概略の例を説明する図である。
【図１Ｃ】電子黒板の動作の概略の例を説明する図である。
【図１Ｄ】電子黒板の動作の概略の例を説明する図である。
【図２】画像処理システムの全体構成図の一例である。
【図３】電子黒板のハードウェア構成図の一例である。
【図４】電子黒板の機能ブロック図の一例である。
【図５】ファイル処理部の機能ブロック図の一例である。
【図６】サーバ部とクライアント部の機能ブロック図の一例である。
【図７】各画像レイヤの構成図の一例である。
【図８】各電子黒板の処理を示したシーケンス図の一例である。
【図９】各電子黒板の処理を示したシーケンス図の一例である。
【図１０Ａ】透かし画像のアップロード時に表示される画面の例を説明する図である。
【図１０Ｂ】透かし画像のアップロード時に表示される画面の例を説明する図である。
【図１１Ａ】透かし画像の一例を示す図である。
【図１１Ｂ】透かし画像の別の例を示す図である。
【図１２】透明度の設定方法を説明するフローチャートの一例である。
【図１３Ａ】透明度の設定画面の例を示す図である。
【図１３Ｂ】透明度の設定画面の例を示す図である。
【図１４】透かし画像生成部が透かし画像を有効とするか無効とするかの制御手順を示すフローチャートの一例である。
【図１５】透かし画像の有効/無効が設定される有効無効設定画面の一例を示す図である。
【図１６】透かし画像生成部が透かし画像を有効とするか無効とするかの制御手順を示すフローチャートの一例である。
【図１７】レイアウト管理部が映像の入力の有無に応じて透かし画像の表示と非表示を切り替える手順を示すフローチャートの一例である。
【図１８Ａ】映像が入力されている場合に静止画の取得操作が行われた場合の動作を示すフローチャートの一例である。
【図１８Ｂ】ディスプレイに表示された画像の例を示す図である。
【図１８Ｃ】ディスプレイに表示された画像の例を示す図である。
【図１９Ａ】静止画を取り込み時の電子黒板の動作の例を説明する図である。
【図１９Ｂ】静止画を取り込み時の電子黒板の動作の例を説明する図である。
【図１９Ｃ】静止画を取り込み時の電子黒板の動作の例を説明する図である。
【図２０】レイアウト管理部が映像の入力の有無に応じて透かし画像（Ｅ）の表示と非表示を切り替える手順を示すフローチャートの変形例である。
【発明を実施するための形態】
【００１２】
以下、本発明を実施する形態の一例の装置である電子黒板２と電子黒板２が行う画像表示方法について図面を参照しながら説明する。
【００１３】
＜動作の概略＞
図１Ａ−図１Ｄは、本実施形態の電子黒板２の動作の概略を説明する図の一例である。図１Ａは電子黒板２に対し外部機器となるノートＰＣ６(Personal Computer)と電子黒板２が接続されていない状態を示す。ノートＰＣ６は自機のディスプレイに映像を表示しているがこの映像は電子黒板２には出力されていない。電子黒板２は半透明の画像（以下、透かし画像という）を表示する機能を有しており、透かし画像を利用して「Confidential」という文字を表示している。透かし画像（文字「Confidential」）は半透明であるため、会議などへの参加者（以下、電子黒板２を使用する者という意味でユーザという場合がある）はディスプレイ３に表示されている各種の情報を目視できる。
【００１４】
例えば、プレゼンテーションなどで機密情報が公開される場合、発表者が参加者と秘密保持契約（ＮＤＡ：Non-disclosure agreement）を結ぶことが困難な場合がある。このような場合、電子黒板２に「Confidential」と表示されていれば、発表者と参加者は秘密保持契約を結んだと推定されるため、プレゼンテーション等を円滑に行うことができるという利点がある。
【００１５】
図１Ｂは本実施形態の電子黒板２と比較される比較例の動作を示す点に注意されたい。図１ＢはノートＰＣ６と電子黒板２が接続されている状態を示す。図１Ｂに示すように、ノートＰＣ６がディスプレイ３に表示する映像（これを出力画像（Ｃ）という）がディスプレイ３に出力されている。透かし画像（Ｅ）はノートＰＣ６の映像より手前であるが、半透明なのでユーザは透かし画像越しにノートＰＣ６の映像を目視できる。しかし、電子黒板２のディスプレイ３においては、「Confidential」という文字が常に表示されているため、ノートＰＣ６の映像の視認性が低下してしまう。例えば、ノートＰＣ６がディスプレイ３に動画を表示させている場合、映像が時間と共に変化するため、「Confidential」という文字と映像が重なっている部分も時間と共に変化する。ユーザは動画としての変化と、透かし画像と動画の重なり部分の変化を見てしまうため、ノートＰＣ６の映像を取り込むタイミングを把握しにくい。
【００１６】
図１Ｃは本実施形態の電子黒板２がノートＰＣ６の映像を表示する場合の動作を説明する図である。ノートＰＣ６からの映像が入力された電子黒板２は、透かし画像（Ｅ）を非表示に切り替える。これにより、図１Ｃに示すように「Confidential」という文字がディスプレイ３に表示されない。ノートＰＣ６の映像が「Confidential」という文字と重なることがないので、ユーザは静止画として保存しておきたい映像が表示されたタイミングでノートＰＣ６の映像を静止画として取り込むことができる。
【００１７】
図１Ｄは本実施形態の電子黒板２がノートＰＣ６の映像を表示しない場合の動作を説明する図である。ノートＰＣ６からの映像が入力されない電子黒板２は、透かし画像（Ｅ）をディスプレイ３に表示する。ユーザが操作しなくても、透かし画像（Ｅ）の表示と非表示をノートＰＣ６の映像の入力の有無により切り替えることができる。
【００１８】
以上説明したように、ノートＰＣ６から映像（入力映像）が入力されていない場合、電子黒板２は、電子黒板２に（予め）記憶された第一画像（例えば、文字「Confidential」などの透かし画像）をディスプレイ３に表示する。この場合、ノートＰＣ６の映像はディスプレイ３に表示されない。また、図２０等において後述するように、ノートＰＣ６から入力された映像（入力映像）が所定の条件を満たさない場合、電子黒板２は第一画像（文字「Confidential」などの透かし画像）を表示せずにノートＰＣ６から入力された映像をディスプレイ３に表示し、ノートＰＣ６から入力された映像（入力映像）が所定の条件を満たす場合、電子黒板２は第一画像（文字「Confidential」などの透かし画像）とノートＰＣ６から入力された映像とをディスプレイ３に表示する。なお、例えば、図２０に示すように、ノートＰＣ６から入力された映像が動画である場合、所定の条件は満たされない。例えば、ノートＰＣ６から入力された映像が動画ではない場合、所定の条件は満たされる。
【００１９】
このように電子黒板２が透かし画像の表示と非表示を制御することで、ノートＰＣ６の映像が入力されていない場合は透かし画像を活用でき、ノートＰＣ６の映像が入力されている場合にはノートＰＣ６の映像を高画質に表示できる。
【００２０】
＜用語について＞
特許請求の範囲の外部機器は、電子黒板２に対し外部の機器であればよく、ケーブル、ネットワーク、又はインタフェースを介して接続できる機器を言う。例えば、ノートＰＣ６及びこれと同等の機器が外部機器の一例である。また、可搬性の記憶媒体も外部機器に相当する。
【００２１】
画像処理装置は画像を表示する装置である。上記した電子黒板２は画像処理装置の一例である。画像処理装置は、ディスプレイを有していてもよいし、プロジェクタを使って画像を投影してもよい。本実施形態では、画像処理装置を電子黒板２という用語で説明する。
【００２２】
表示部はディスプレイやプロジェクタなど、画像を表示する手段をいう。画像処理装置がディスプレイを有する場合、ディスプレイが、画像処理装置に（予め）記憶された文字「Confidential」などの画像（第一画像）及びノートＰＣ６などの外部機器から入力された画像（第二の画像）を表示することが可能な表示部である。画像処理装置がプロジェクタを使って画像を投影する場合、画像が投影される部分（被投影面）が表示部である。
【００２３】
＜システムの概要＞
図２は、本実施形態の画像処理システム１の全体構成図である。なお、図２では、説明を簡略化するために、２台の電子黒板２ａ，２ｂ及びこれに付随する電子ペン４ａ，４ｂ等を示しているだけであって、３台以上の電子黒板２や電子ペン等を利用してもよい。
【００２４】
図２に示されているように、画像処理システム１は、複数の電子黒板２ａ，２ｂ、複数の電子ペン４ａ，４ｂ、ＵＳＢメモリ５ａ，５ｂ、ノートＰＣ６(Personal Computer)６ａ，６ｂ、テレビ（ビデオ）会議端末７ａ，７ｂ、及びＰＣ８を有する。また、電子黒板２ａ，２ｂ、及びＰＣ８は、通信ネットワーク９を介して通信可能に接続されている。更に、複数の電子黒板２ａ，２ｂには、それぞれディスプレイ３ａ，３ｂが設けられている。
【００２５】
また、電子黒板２ａには、電子ペン４ａによって生じたイベント（ディスプレイ３ａに電子ペン４ａのペン先、又は、電子ペン４ａのペン尻のタッチ）による描画された画像を、ディスプレイ３ａに表示させることができる。なお、電子ペン４ａだけでなく、ユーザの手Ｈａ等によって生じたイベント（拡大、縮小、ページめくり等のジェスチャ）に基づいて、ディスプレイ３ａ上に表示されている画像を変更させることもできる。
【００２６】
また、電子黒板２ａには、ＵＳＢメモリ５ａが接続可能であり、電子黒板２ａはＵＳＢメモリ５ａからＰＤＦ等の電子ファイルを読み出したり、電子黒板２ａはＵＳＢメモリ５ａに電子ファイルを記録したりすることができる。また、電子黒板２ａには、DisplayPort（登録商標）、DVI(Digital Visual Interface)、HDMI(登録商標。High-Definition Multimedia Interface)及びVGA(Video Graphics Array)等の規格による通信が可能なケーブル１０ａ１を介して、ノートＰＣ６ａが接続されている。そして、電子黒板２ａは、ディスプレイ３ａに対する接触によってイベントを発生させ、このイベントを示すイベント情報を、マウスやキーボード等の入力装置からのイベントと同様に、ノートＰＣ６ａに送信する。同じく、電子黒板２ａには、上記規格による通信が可能なケーブル１０ａ２を介して、テレビ（ビデオ）会議端末７ａが接続されている。なお、ノートＰＣ６ａ、及びテレビ会議端末７ａは、Bluetooth（登録商標）等の各種無線通信プロトコルに準拠した無線通信により、電子黒板２ａと通信してもよい。
【００２７】
一方、電子黒板２ｂが設置されている他の拠点では、上記と同様に、ディスプレイ３ｂを備えた電子黒板２ｂ、電子ペン４ｂ、ＵＳＢメモリ５ｂ、ノートＰＣ６ｂ、テレビ会議端末７ｂ、ケーブル１０ｂ１、ケーブル１０ｂ２が利用される。更に、ユーザの手Ｈｂ等によって生じたイベントに基づいて、ディスプレイ３ｂ上に表示されている画像を変更させることもできる。
【００２８】
これにより、一の拠点で電子黒板２ａのディスプレイ３ａ上に描画された画像は、他の拠点で電子黒板２ｂのディスプレイ３ｂ上にも表示され、逆に他の拠点で電子黒板２ｂのディスプレイ３ｂ上に描画された画像は、一の拠点で電子黒板２ａのディスプレイ３ａ上に表示される。このように、画像処理システム１では、遠隔地において同じ画像を共有する遠隔共有処理を行うことができるため、遠隔地での会議等に用いると、非常に便利である。
【００２９】
なお、以下では、複数の電子黒板２のうち任意の電子黒板２を示す場合には「電子黒板２」と示す。複数のディスプレイのうち任意のディスプレイを示す場合には「ディスプレイ３」と示す。複数の電子ペンのうち任意の電子ペンを示す場合には「電子ペン４」と示す。複数のＵＳＢメモリのうち任意のＵＳＢメモリを示す場合には「ＵＳＢメモリ５」と示す。複数のノートＰＣ６のうち任意のノートＰＣ６を示す場合には「ノートＰＣ６」と示す。複数のテレビ会議端末のうち任意のテレビ会議端末を示す場合には「テレビ会議端末７」と示す。また、複数のユーザの手のうち任意の手を示す場合には「手Ｈ」と示す。複数のケーブルのうち任意のケーブルを示す場合には「ケーブル１０」と示す。
【００３０】
また、本実施形態では、画像処理装置の一例として、電子黒板２を説明するが、これに限るものではなく、画像処理装置の他の例として、電子看板（デジタルサイネージ）、スポーツや天気予報等で利用されるテレストレータ、又は、遠隔画像（映像）診断装置等であってもよい。また、情報処理端末の一例として、ノートＰＣ６を説明するが、これに限るものではなく、情報処理端末の他の例として、デスクトップ型ＰＣやタブレット型ＰＣ、ＰＤＡ、スマートフォン、デジタルビデオカメラ、デジタルカメラ、ゲーム機等の画像フレームを供給可能な端末であってもよい。更に、通信ネットワークには、インターネット、ＬＡＮ(Local Area Network)、携帯電話通信網等が含まれる。また、本実施形態では、記録媒体の一例として、ＵＳＢメモリを説明するが、これに限るものではなく、記録媒体の他の例として、ＳＤカード等の各種記録メディアであってもよい。
【００３１】
＜電子黒板２のハードウェア構成＞
続いて、図３を用いて、本実施形態の電子黒板２のハードウェア構成を説明する。なお、図３は、電子黒板２のハードウェア構成図である。
【００３２】
図３に示されているように、電子黒板２は、電子黒板２全体の動作を制御するＣＰＵ１０１、ＩＰＬ等のＣＰＵ１０１の駆動に用いられるプログラムを記憶したＲＯＭ１０２、ＣＰＵ１０１のワークエリアとして使用されるＲＡＭ１０３、電子黒板２用のプログラム等の各種データを記憶するＳＳＤ１０４、通信ネットワーク９との通信を制御するネットワークコントローラ１０５、及び、ＵＳＢメモリ５との通信を制御する外部記憶コントローラ１０６を備えている。
【００３３】
また、電子黒板２は、ノートＰＣ６のディスプレイに対して映像情報を静止画又は動画として表示させるキャプチャデバイス１１１、グラフィクスを専門に扱うＧＰＵ(Graphics Processing Unit)１１２、及び、ＧＰＵからの出力画像をディスプレイ３やテレビ会議端末７へ出力するために画面表示の制御及び管理を行うディスプレイコントローラ１１３を備えている。
【００３４】
更に、電子黒板２は、接触センサ１１５の処理を制御するセンサコントローラ１１４、ディスプレイ３上に電子ペン４やユーザの手Ｈ等が接触したことを検知する接触センサ１１５を備えている。この接触センサ１１５は、赤外線遮断方式による座標の入力及び座標の検出を行う。この座標の入力及び座標の検出する方法は、ディスプレイ３の上側両端部に設置された２つ受発光装置が、ディスプレイ３に平行して複数の赤外線を放射し、ディスプレイ３の周囲に設けられた反射部材によって反射されて、受光素子が放射した光の光路と同一の光路上を戻って来る光を受光する方法である。接触センサ１１５は、物体によって遮断された２つの受発光装置が放射した赤外線のＩＤ(Identification)をセンサコントローラ１１４に出力し、センサコントローラ１１４が、物体の接触位置である座標位置を特定する。なお、以下に示す全ての各ＩＤは、識別情報の一例である。
【００３５】
また、接触センサ１１５としては、赤外線遮断方式に限らず、静電容量の変化を検知することにより接触位置を特定する静電容量方式のタッチパネル、対向する２の抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの種々の検出手段を用いてもよい。
また、電子黒板２は、電子ペンコントローラ１１６を備えている。この電子ペンコントローラ１１６は、電子ペン４と通信することで、ディスプレイ３へのペン先のタッチやペン尻のタッチの有無を判断する。なお、電子ペンコントローラ１１６が、電子ペン４のペン先及びペン尻だけでなく、電子ペン４のユーザが握る部分や、その他の電子ペンの部分のタッチの有無を判断するようにしてもよい。
【００３６】
更に、電子黒板２は、ＣＰＵ１０１、ＲＯＭ１０２、ＲＡＭ１０３、ＳＳＤ１０４、ネットワークコントローラ１０５、外部記憶コントローラ１０６、キャプチャデバイス１１１、ＧＰＵ１１２、センサコントローラ１１４、及び電子ペンコントローラ１１６を、図４に示されているように電気的に接続するためのアドレスバスやデータバス等のバスライン１２０を備えている。
【００３７】
なお、電子黒板２用のプログラムは、ＣＤ−ＲＯＭ等のコンピュータで読み取り可能な記録媒体に記録して流通させるようにしてもよい。
【００３８】
＜電子黒板２の機能構成＞
続いて、図４〜図７を用いて、電子黒板２の機能構成について説明する。なお、先ずは、図４を用いて、電子黒板２の全体的な機能構成について説明する。図４は、電子黒板２の機能ブロック図である。
【００３９】
電子黒板２は、図４に示されているハードウェア構成及びプログラムによって、図４に示されている各機能構成を有する。電子黒板２は、最初に遠隔共有処理を開始する「主催装置」となり得ると共に、既に開始されている遠隔共有処理に後から参加する「参加装置」にもなり得る。また、電子黒板２は、大きく分けて、クライアント部２０及びサーバ部９０の両方によって構成されている。クライアント部２０及びサーバ部９０は、電子黒板２の１台の筐体内で実現される機能である。そして、電子黒板２が主催装置となる場合には、この電子黒板２では、クライアント部２０とサーバ部９０が実現される。また、電子黒板２が参加装置となる場合には、この電子黒板２では、クライアント部２０は実現されるが、サーバ部９０は実現されない。即ち、図３において、電子黒板２ａが主催装置で、電子黒板２ｂが参加装置となる場合、電子黒板２ａのクライアント部２０は、同じ電子黒板２ａ内に実現されたサーバ部９０を介して、他の電子黒板２ｂのクライアント部２０と通信を行う。一方、電子黒板２ｂのクライアント部２０は、他の電子黒板２ａ内に実現されたサーバ部９０を介して、他の電子黒板２ａのクライアント部と通信を行う。
【００４０】
<<クライアント部２０の機能構成>>
続いて、主に図４から図７を用いて、クライアント部２０の機能構成について説明する。クライアント部２０は、映像取得部２１、座標検知部２２、自動調整部２３、接触検知部２４、イベント振分部２５、操作処理部２６、ジェスチャ処理部２７、映像重畳部２８、画像処理部３０、及び通信制御部６０を有する。
【００４１】
このうち、映像取得部２１は、ケーブル１０に接続された映像出力機器の出力画像を取得する。映像取得部２１は、映像出力機器から画像信号を受信すると、この画像信号を解析して、この画像信号によって形成される映像出力機器の表示画像である画像フレームの解像度や、この画像フレームの更新頻度などの画像情報を導出し、画像取得部３１に出力する。
【００４２】
座標検知部２２は、ディスプレイ３上でユーザによって生じたイベント（ディスプレイ３上にユーザの手Ｈがタッチされた動作等）の座標位置を検出する。また、座標検知部２２は、タッチされた面積も検出する。
【００４３】
自動調整部２３は、電子黒板２の起動時（再起動時と表現してもよい）に起動され、座標検知部２２が適切な値を出力できるように、光センサ方式により座標を検知する座標検知部２２がセンサーカメラの画像を処理する際のパラメータを調整する。
【００４４】
接触検知部２４は、ユーザによって生じたイベント（ディスプレイ３上に電子ペン４のペン先又は電子ペン４のペン尻が押下（タッチ）された動作等）を検出する。
【００４５】
イベント振分部２５は、座標検知部２２によって検知されたイベントの座標位置と接触検知部２４によって検出された検出結果を、ストローク描画、ＵＩ操作、及びジェスチャ操作の各イベントに振り分ける。ここで、「ストローク描画」は、ディスプレイ３上に図７に示されている後述のストローク画像（Ｂ）が表示されている場合に、ユーザがディスプレイ３上で電子ペン４を押下し、この押下した状態で電子ペン４を移動させ、最終的にディスプレイ３上から電子ペン４を離すまでのイベントである。このストローク描画により、例えば、アルファベット「Ｓ」や「Ｔ」等がディスプレイ３上に描画される。なお、この「ストローク描画」には、画像を描画するだけでなく、既に描画された画像を削除したり、描画された画像を編集したりするイベントも含まれる。
【００４６】
「ＵＩ操作」は、ディスプレイ３上に図７に示されている後述のＵＩ画像（Ａ）が表示されている場合に、ユーザが電子ペン４又は手Ｈによって所定の位置を押下したイベントである。このＵＩ操作により、例えば、電子ペン４により描画される線の色や幅等が設定される。
【００４７】
「ジェスチャ操作」は、ディスプレイ３上に図７に示されている後述のストローク画像（Ｂ）が表示されている場合に、ユーザが手Ｈでディスプレイ３上をタッチしたり移動させたりするイベントである。このジェスチャ操作により、例えば、ユーザがディスプレイ３に手Ｈをタッチさせた状態で手Ｈを移動させることで、画像の拡大（若しくは縮小）、表示領域の変更、又は、ページ切り換え等を行うことができる。
【００４８】
操作処理部２６は、イベント振分部２５によってＵＩ操作と判断されたものから、イベントが発生されたＵＩの要素にしたがって、各種操作を実行する。このＵＩの要素としては、例えば、ボタン、リスト、チェックボックス、テキストボックスが挙げられる。ジェスチャ処理部２７は、イベント振分部２５によってジェスチャ操作と判断されたものに対応した操作を実行する。
【００４９】
映像重畳部２８は、後述の表示重畳部３６で重畳された画像を映像として表示部２９に対して表示する。表示部２９はディスプレイ３により実現される表示機能を示す。また、映像重畳部２８は、映像出力機器（ノートＰＣ６等）からの映像に対して、他の映像出力機器（テレビ会議端末７等）から送られて来た映像をピクチャーインピクチャーする。更に、映像重畳部２８は、ピクチャーインピクチャーされて表示部２９の一部に表示された映像を、表示部２９の全体に表示させるための切り替えを行う。
【００５０】
画像処理部３０は、図７に示されているような各画像レイヤの重畳処理等を行う。この画像処理部３０は、画像取得部３１、ストローク処理部３２、ＵＩ画像生成部３３、背景生成部３４、透かし画像生成部３８、レイアウト管理部３５、表示重畳部３６、ページ処理部３７、ファイル処理部４０、ページデータ記憶部３００、及び遠隔ライセンス管理テーブル３１０を有している。
【００５１】
このうち、画像取得部３１は、映像取得部２１で取得された映像から、各フレームを画像として取得する。画像取得部３１は、この画像のデータを、ページ処理部３７に出力する。この画像は、図７に示されている映像出力機器（ノートＰＣ６等）からの出力画像（Ｃ）に相当する。
【００５２】
ストローク処理部３２は、イベント振分部２５によって割り振られたストローク描画に係るイベントに基づいて、画像を描画したり、描画された画像を削除したり、描画された画像を編集する。このストローク描画による画像は、図７に示されているストローク画像（Ｂ）に相当する。また、このストローク描画に基づいた画像の描画、削除、編集の各結果は、後述の操作データとして、操作データ記憶部８４０に記憶される。
【００５３】
ＵＩ画像生成部３３は、電子黒板２に予め設定されているＵＩ（ユーザインターフェース）画像を生成する。このＵＩ画像は、図７に示されているＵＩ画像（Ａ）に相当する。
【００５４】
背景生成部３４は、ページ処理部３７がページデータ記憶部３００から読み出したページデータのうちのメディアデータを、ページ処理部３７から受信する。背景生成部３４は、この受信したメディアデータを表示重畳部３６に出力する。また、このメディアデータによる画像は、図７に示されている背景画像（Ｄ）に相当する。背景画像（Ｄ）のパターンは、無地、グリッド表示等である。
【００５５】
透かし画像生成部３８は、電子黒板２の記憶手段としてページデータ記憶部３００に記憶されている透かし画像データを表示重畳部３６に出力する。この透かし画像データは、図７に示されている透かし画像（Ｅ）に相当する。透かし画像の詳細は後述されるが、透かし画像生成部３８はページデータ記憶部３００の透かし画像データをディスプレイ３の解像度やアスペクト比に合わせるなどの処理を行って透かし画像データを生成する。透明度は予め透かし画像データが保持していてもよいし、ユーザが電子黒板２で設定してもよい。別の言い方をすれば、透かし画像（Ｅ）に関する透かし画像データは、少なくとも透かし画像（Ｅ）の透明度に関する情報を有していてもよい。
【００５６】
レイアウト管理部３５は、表示重畳部３６に対して、画像取得部３１、ストローク処理部３２、ＵＩ画像生成部３３（又は背景生成部３４）及び透かし画像生成部３８から出力された各画像のレイアウトを示すレイアウト情報を管理している。これにより、レイアウト管理部３５は、表示重畳部３６に対して、出力画像（Ｃ）、ストローク画像（Ｂ）及び透かし画像（Ｅ）を、ＵＩ画像（Ａ）及び背景画像（Ｄ）中のどの位置に表示させるか又は非表示にさせるかを指示することができる。
【００５７】
表示重畳部３６は、レイアウト管理部３５から出力されたレイアウト情報に基づき、画像取得部３１、ストローク処理部３２、ＵＩ画像生成部３３（背景生成部３４）及び透かし画像生成部３８から出力された各画像のレイアウト（重ね合わせ）を行う。
【００５８】
ページ処理部３７は、ストローク画像（Ｂ）のデータと出力画像（Ｃ）のデータを、１つのページデータにまとめてページデータ記憶部３００に記憶する。ストローク画像（Ｂ）のデータは、図７に示されているストローク配列データＩＤで示されるストローク配列データ（各ストロークデータ）として、ページデータの一部を成す。出力画像（Ｃ）のデータは、図７に示されているメディアデータＩＤで示されているメディアデータとして、ページデータの一部を成す。そして、このメディアデータは、ページデータ記憶部３００から読み出されると、背景画像（Ｄ）のデータとして取り扱われる。
【００５９】
また、ページ処理部３７は、一旦記憶されたページデータのうちのメディアデータを、背景生成部３４を介して表示重畳部３６に送信することで、映像重畳部２８が背景画像（Ｄ）をディスプレイ３に再表示させることができる。また、ページ処理部３７は、ページデータのうちのストローク配列データ（各ストロークデータ）を、ストローク処理部３２に戻すことで、ストロークの再編集ができる状態にすることができる。更に、ページ処理部３７は、ページデータを削除したり複製したりすることもできる。
【００６０】
即ち、ページ処理部３７がページデータ記憶部３００にページデータを記憶する時点でディスプレイ３上に表示されている出力画像（Ｃ）のデータは、一旦、ページデータ記憶部３００に記憶され、その後にページデータ記憶部３００から読み出される際には、背景画像（Ｄ）を示すメディアデータとして読みされる。そして、ページ処理部３７は、ページデータ記憶部３００から読み出したページデータのうち、ストローク画像（Ｂ）を示すストローク配列データを、ストローク処理部３２に出力する。また、ページ処理部３７は、ページデータ記憶部３００から読み出したページデータのうち、背景画像（Ｄ）を示すメディアデータを、背景生成部３４に出力する。
【００６１】
また、ページ処理部３７は、ページデータ記憶部３００に記憶された透かし画像データを透かし画像生成部３８に送出する。透かし画像生成部３８は透かし画像を表示重畳部３６に送信する。
【００６２】
表示重畳部３６は、画像取得部３１からの出力画像（Ｃ）、ストローク処理部３２からのストローク画像（Ｂ）、ＵＩ画像生成部３３からのＵＩ画像（Ａ）、背景生成部３４からの背景画像（Ｄ）、及び透かし画像生成部３８からの透かし画像（Ｅ）を、レイアウト管理部３５によって指定されたレイアウトにしたがって重畳する。これにより、図７に示されているように、各画像が重なってもユーザが見える順に、ＵＩ画像（Ａ）、ストローク画像（Ｂ）、透かし画像（Ｅ）、出力画像（Ｃ）、及び背景画像（Ｄ）の各レイヤの構成となっている。
【００６３】
また、表示重畳部３６は、図７に示されている出力画像（Ｃ）と背景画像（Ｄ）を切り替えて、ＵＩ画像（Ａ）、ストローク画像（Ｂ）及び透かし画像（Ｅ）に対して排他的に重畳することも可能である。例えば、当初、ＵＩ画像（Ａ）、ストローク画像（Ｂ）及び出力画像（Ｃ）が表示されている状態で、電子黒板２と映像出力機器（ノートＰＣ６等）との間のケーブル１０が抜かれた場合には、レイアウト管理部３５の指定によって、出力画像（Ｃ）を重畳対象から外し、背景画像（Ｄ）を表示させることができる。この場合、レイアウト管理部３５は透かし画像（Ｅ）を非表示から表示に切り替える。また、表示重畳部３６は、表示の拡大、表示の縮小、表示領域の移動処理も行う。
【００６４】
ページデータ記憶部３００は、表１に示されているようなページデータを記憶する。
【００６５】
【表１】
2017110505.tif 000003
表１は、ページデータを概念的に示す。ページデータは、ディスプレイ３に表示される１ページ分のデータ（ストローク配列データ（各ストロークデータ）及びメディアデータ）である。なお、ページデータに含まれるパラメータの種類が多いため、ここでは、表１〜表４に分けて、ページデータの内容を説明する。
【００６６】
ページデータは、表１に示されているように、任意の１ページを識別するためのページデータＩＤ、このページの表示を開始した時刻を示す開始時刻、ストロークやジェスチャ等によるページの内容の書き換えが行われなくなった時刻を示す終了時刻、電子ペン４やユーザの手Ｈによるストロークによって生じたストローク配列データを識別するためのストローク配列データＩＤ、及びメディアデータを識別するためのメディアデータＩＤが関連付けて記憶されている。ストローク配列データは、後述の図７に示されているストローク画像（Ｂ）がディスプレイ３上に表示されるためのデータである。メディアデータは、後述の図７に示されている背景画像（Ｄ）がディスプレイ３上に表示されるためのデータである。
【００６７】
このようなページデータにより、例えば、ユーザが電子ペン４によってアルファベット「Ｓ」を描く場合は一筆書きとなるため、ストロークデータＩＤが１つで一文字のアルファベット［Ｓ］が示される。ところが、ユーザが電子ペン４によってアルファベット「Ｔ」を描く場合、二筆書きとなるため、ストロークデータＩＤが２つで一文字のアルファベット「Ｔ」が示されることになる。
【００６８】
【表２】
2017110505.tif 000004
また、ストローク配列データは、表２に示されているように詳細な情報を示している。表２は、ストローク配列データを概念的に示す。表２に示されているように、１つのストローク配列データは、複数のストロークデータによって表される。そして、１つのストロークデータは、このストロークデータを識別するためのストロークデータＩＤ、１つのストロークの書き始めの時刻を示す開始時刻、１つのストロークの書き終わりの時刻を示す終了時刻、ストロークの色、ストロークの幅、及び、ストロークの通過点の配列を識別するための座標配列データＩＤを示している。
【００６９】
【表３】
2017110505.tif 000005
更に、この座標配列データは、表３に示されているように詳細な情報を示している。表３は、座標配列データを概念的に示す。表３に示されているように、座標配列データは、ディスプレイ３上の１点（Ｘ座標値、Ｙ座標値）、この１点を通過したときのストロークの開始時刻からの差分の時刻（ｍｓ）、及び、この１点における電子ペン４の筆圧の各情報を示している。即ち、表３に示されている１点の集まりが、表２に示されている１つの座標配列データで示されている。例えば、ユーザが電子ペン４によってアルファベット「Ｓ」を描く場合、一筆書きとなるが、「Ｓ」を描き終えるまでに、複数の通過点を通過するため、座標配列データは、これら複数の通過点の情報を示している。
【００７０】
また、表１に示されているページデータのうちのメディアデータは、表４に示されているように詳細な情報を有している。
【００７１】
【表４】
2017110505.tif 000006
表４は、メディアデータを概念的に示す。表４に示されているように、メディアデータは、表１に示されているページデータにおけるメディアデータＩＤ、メディアデータのデータ種類、ページ処理部３７からページデータ記憶部３００にページデータが記憶された記録時刻、ページデータによってディスプレイ３上に表示される画像の位置（Ｘ座標値、Ｙ座標値）及び画像のサイズ（幅、高さ）、並びにメディアデータの内容を示すデータが関連付けられて示されている。このうち、ページデータによってディスプレイ３上に表示される画像の位置は、ディスプレイ３の左上端の座標を（Ｘ座標値，Ｙ座標値）＝（０，０）とした場合に、ページデータによって表示される画像の左上端の位置を示している。
【００７２】
図４に戻って説明する。ページデータ記憶部３００には、透かし画像データが記憶されている。透かし画像データは表５に示されているような情報を有している。
【００７３】
【表５】
2017110505.tif 000007
表５は、ページデータ記憶部３００に記憶された透かし画像データを概念的に示す。表５に示されているように、透かし画像データはファイルとして保持されており、ファイル名、更新日時、種類、及び、作成者の各情報を対応付けて保持している。これらは情報処理装置がファイルの属性として有する項目であり、この他、ファイルが持ちうる属性が登録されていてよい。また、表５では３つのファイルが登録されているが、ファイルは１つ以上登録されていればよい。また、１つもファイルが登録されていない場合もあり得る（透かし画像は表示できない）。複数のファイルが登録されている場合、最後に表示された透かし画像データ、ユーザが選択した透かし画像データ、更新日時が最も新しい（又は古い）透かし画像データ、又は、電子黒板２にログインしたユーザを作成者とする透かし画像データが適宜、選択して使用される。
【００７４】
ファイルの種類は透明度を扱える透過ＰＮＧ（以下、単にＰＮＧという）であるが、透過ＧＩＦなど透明度を表すことができるファイルであればよい。また、ファイルの機能として透明度を保持できなくても透かし画像生成部３８が、ＪＰＥＧなどから透明度が制御された透かし画像を作成してもよい。
【００７５】
次に、遠隔ライセンス管理テーブル３１０について説明する。遠隔ライセンス管理テーブル３１０は、遠隔共有処理を実行するために必要なライセンスデータを管理する。この遠隔ライセンス管理テーブル３１０では、表６に示されているように、電子黒板２のプロダクトＩＤ、認証に用いられるライセンスＩＤ、及びライセンスの有効期限が関連付けて管理されている。
【００７６】
【表６】
2017110505.tif 000008
（ファイル処理部４０の機能構成）
続いて、図５を用いて、図４に示されているファイル処理部４０の機能構成を説明する。なお、図５は、ファイル処理部の機能ブロック図である。ファイル処理部４０は、リカバリ処理部４１、ファイル入力部４２ａ、ファイル出力部４２ｂ、ファイル変換部４３、ファイル送信部４４、アドレス帳入力部４５、バックアップ処理部４６、バックアップ出力部４７、設定管理部４８、設定ファイル入力部４９ａ、及び設定ファイル出力部４９ｂを有している。更に、ファイル処理部４０は、アドレス帳管理テーブル４１０、バックアップデータ記憶部４２０、設定ファイル記憶部４３０、及び接続先管理テーブル４４０を有している。
【００７７】
このうち、リカバリ処理部４１は、電子黒板２が異常終了した後に、異常終了を検知し、未保存のページデータを復旧する。例えば、正常終了の場合は、ページデータがＰＤＦファイルとしてファイル処理部４０を介してＵＳＢ５に記録されるが、電源がダウンした等の異常終了の場合は、ページデータがページデータ記憶部３００に記録されたままになっている。そのため、再び、電源オンになった際に、リカバリ処理部４１は、ページデータ記憶部３００からページデータを読み出すことで復旧させる。
【００７８】
ファイル入力部４２ａは、ＵＳＢメモリ５から、ＰＤＦファイルを読み込み、各ページをページデータとしてページデータ記憶部３００に記憶する。ファイル変換部４３は、ページデータ記憶部３００に記憶されているページデータを、ＰＤＦ形式のファイルに変換する。また、ファイル入力部４２ａは、透かし画像データを読み取り、ページデータ記憶部３００に記憶する。電子黒板２に装着されたＵＳＢメモリ５からＰＮＧなど所定の種類のファイルを自動で読み取ってもよいし、ユーザが指定するファイルをファイル入力部４２ａがＵＳＢメモリ５からページデータ記憶部３００にコピーしてもよい。
【００７９】
また、ユーザが任意の端末を操作して電子黒板２と通信し、電子黒板２が用意したＷｅｂページを使って透かし画像データを電子黒板２にアップロードで入力してもよい。この場合、ファイル入力部４２ａはＷｅｂサーバとして機能する。任意の端末はブラウザ等で電子黒板２のＩＰアドレスを指定してファイル送信が可能なＨＴＭＬデータを電子黒板２から受信する。ブラウザはユーザによるファイルの選択を受け付けるので、ユーザが選択した透かし画像データのファイルを任意の端末がファイル入力部４２ａに送信する。ファイル入力部４２ａは透かし画像データのファイルをページデータ記憶部３００に記憶させる。別の言い方をすれば、ファイル入力部４２ａは、透かし画像（Ｅ）の透明度に関する情報を有する透かし画像データを、外部から取り込む（取得する）ことができ、その透かし画像データをページデータ記憶部３００に記憶することができる。
【００８０】
ファイル出力部４２ｂは、ファイル変換部４３によって出力されたＰＤＦファイルをＵＳＢメモリ５に記録する。
【００８１】
ファイル送信部４４は、ファイル変換部４３によって生成されたＰＤＦファイルを、電子メールに添付して送信する。このファイルの送信先は、表示重畳部３６によってディスプレイ３上にアドレス帳管理テーブル４１０の内容を表示し、ファイル送信部４４がユーザによるタッチパネル等の入力装置の操作により、宛先の選択を受け付けることによって決定される。アドレス帳管理テーブル４１０には、表７に示されているように、宛先の名前及び宛先の電子メールのメールアドレスが関連付けて管理されている。
【００８２】
【表７】
2017110505.tif 000009
また、ファイル送信部４４が、ユーザによるタッチパネル等の入力装置の操作により、宛先としてのメールアドレスの入力を受け付けることもできる。
【００８３】
アドレス帳入力部４５は、ＵＳＢメモリ５から電子メールアドレスの一覧ファイルを読み込み、アドレス帳管理テーブル４１０に管理する。
【００８４】
バックアップ処理部４６は、ファイル出力部４２ｂによって出力されたファイルや、ファイル送信部４４によって送信されたファイルを、バックアップデータ記憶部４２０に記憶することでバックアップする。なお、ユーザがバックアップ設定しない場合は、バックアップの処理は行われない。バックアップデータは、表８に示されているように、ＰＤＦ形式で記憶される。
【００８５】
【表８】
2017110505.tif 000010
バックアップ出力部４７は、バックアップされたファイルをＵＳＢメモリ５に記憶する。この記憶の際には、ユーザによるタッチパネル等の入力装置の操作により、セキュリティのためにパスコードが入力される。
【００８６】
設定管理部４８は、電子黒板２の各種設定情報を設定ファイル記憶部４３０に記憶したり読み出したりして管理する。この各種設定情報としては、例えば、ネットワーク設定、日付や時刻の設定、地域や言語の設定、メールサーバの設定、アドレス帳の設定、接続先リストの設定、バックアップに関する設定が挙げられる。なお、ネットワーク設定は、例えば、電子黒板２のＩＰアドレスの設定、ネットマスクの設定、デフォルトゲートウェイの設定、又はＤＮＳ(Domain Name System)の設定等である。
【００８７】
設定ファイル出力部４９ｂは、電子黒板２の各種設定情報を、設定ファイルとしてＵＳＢメモリ５に記録させる。なお、設定ファイルはセキュリティによって、ユーザは中身を見ることができない。
【００８８】
設定ファイル入力部４９ａは、ＵＳＢメモリ５に記憶されている設定ファイルを読み込み、各種設定情報を電子黒板２の各種設定に反映させる。
【００８９】
アドレス帳入力部５０は、ＵＳＢメモリ５から遠隔共有処理の接続先ＩＰアドレスの一覧ファイルを読み込み、接続先管理テーブル４４０に管理する。接続先管理テーブル４４０の一例を表９に示す。
【００９０】
【表９】
2017110505.tif 000011
接続先管理テーブル４４０は、電子黒板２が遠隔共有処理に参加しようとする参加装置である場合、この参加装置のユーザが主催装置としての役割を果たす電子黒板２のＩＰアドレスを入力する手間を削減するために、予め管理しておくためのテーブルである。この接続先管理テーブル４４０では、参加されることが可能な主催装置としての電子黒板２が設置されている拠点の名称、及び主催装置としての電子黒板２のＩＰアドレスが関連付けて管理されている。
【００９１】
なお、接続先管理テーブル４４０は、無くてもよい。但し、この場合には、参加装置のユーザは、主催装置との間で遠隔要求処理の開始するために、タッチパネル等の入力装置によって、主催装置のＩＰアドレスを入力する必要がある。そのため、参加装置のユーザは、電話や電子メール等によって、主催装置のユーザから、主催装置のＩＰアドレスを知得する。
【００９２】
（通信制御部６０の機能構成）
次に、図６を用いて、通信制御部６０の機能構成について説明する。図６は、サーバ部９０とクライアント部２０の機能ブロック図の一例である。通信制御部６０は、通信ネットワーク９を介して、他の電子黒板２と行う通信や、サーバ部９０における後述の通信制御部７０と行う通信を制御する。そのため、通信制御部６０は、遠隔開始処理部６１、遠隔参加処理部６２、遠隔画像送信部６３、遠隔画像受信部６４、遠隔操作送信部６５、遠隔操作受信部６６、及び参加拠点管理テーブル６１０を有している。
【００９３】
このうち、遠隔開始処理部６１は、同じ電子黒板２のサーバ部９０に対して、新たに遠隔共有処理を開始する要求を行い、サーバ部９０から要求の結果を受信する。この場合、遠隔開始処理部６１は、遠隔ライセンス管理テーブル３１０を参照し、ライセンス情報（プロダクトＩＤ、ライセンスＩＤ、及び有効期限）が管理されている場合には、遠隔共有処理を開始する要求を行うことができる。但し、ライセンス情報が管理されていない場合には遠隔共有処理を開始する要求を行うことができない。
【００９４】
参加拠点管理テーブル６１０は、電子黒板２が主催装置である場合、現在、遠隔共有処理に参加している参加装置としての電子黒板２を管理するテーブルである。参加拠点管理テーブル６１０の一例を表１０に示す。
【００９５】
【表１０】
2017110505.tif 000012
この参加拠点管理テーブル６１０では、参加中の電子黒板２が設置されている拠点の名称及び当該電子黒板２のＩＰアドレスが関連付けて管理されている。
【００９６】
遠隔参加処理部６２は、通信ネットワーク９を介して、既に遠隔共有処理を開始している主催装置としての電子黒板２のサーバ部９０における遠隔接続要求受信部７１に対して、遠隔共有処理への参加要求を行う。この場合も、遠隔参加処理部６２は、遠隔ライセンス管理テーブル３１０を参照する。また、遠隔参加処理部６２が、既に開始されている遠隔共有処理に参加する場合には、接続先管理テーブル４４０を参照して、参加先の電子黒板２のＩＰアドレスを取得する。なお、遠隔参加処理部６２によって接続先管理テーブルが参照されず、ユーザによるタッチパネル等の入力装置の操作により参加先の電子黒板２のＩＰアドレスが入力されてもよい。
【００９７】
遠隔画像送信部６３は、映像取得部２１から画像取得部３１を介して送られて来た出力画像（Ｃ）を、サーバ部９０に送信する。
【００９８】
遠隔画像受信部６４は、サーバ部９０から、他の電子黒板２に接続された映像出力機器からの画像データを受信し、表示重畳部３６に出力することで、遠隔共有処理を可能にする。
【００９９】
遠隔操作送信部６５は、遠隔共有処理に必要な各種操作データをサーバ部９０に送信する。この各種操作データとしては、例えば、ストロークの追加、ストロークの削除、ストロークの編集（拡大、縮小、移動）、ページデータの記憶、ページデータの作成、ページデータの複製、ページデータの削除、表示されているページの切り替え等に関するデータが挙げられる。また、遠隔操作受信部６６は、サーバ部９０から、他の電子黒板２で入力された操作データを受信し、画像処理部３０に出力することで、遠隔共有処理を行う。
【０１００】
<<サーバ部の機能構成>>
続いて、図６を用いて、サーバ部９０の機能構成について説明する。サーバ部９０は、各電子黒板２に設けられており、いずれの電子黒板２であっても、サーバ部としての役割を果たすことができる。そのため、サーバ部９０は、通信制御部７０、及びデータ管理部８０を有している。
（通信制御部７０の機能構成）
次に、図６を用いて、通信制御部７０の機能構成について説明する。
【０１０１】
通信制御部７０は、同じ電子黒板２内のクライアント部２０における通信制御部７０、及び通信ネットワーク９を介して他の電子黒板２内のクライアント部２０における通信制御部７０との通信を制御する。データ管理部８０は、操作データや画像データ等を管理する。
【０１０２】
更に詳細に説明すると、通信制御部７０は、遠隔接続要求受信部７１、遠隔接続結果送信部７２、遠隔画像受信部７３、遠隔画像送信部７４、遠隔操作受信部７５、及び遠隔操作送信部７６を有している。
【０１０３】
このうち、遠隔接続要求受信部７１は、遠隔開始処理部６１からの遠隔共有処理の開始要求を受信したり、遠隔参加処理部６２からの遠隔共有処理に対する参加要求を受信したりする。遠隔接続結果送信部７２は、遠隔開始処理部６１へ遠隔共有処理の開始要求の結果を送信したり、遠隔参加処理部６２へ遠隔共有処理に対する参加要求の結果を送信したりする。
【０１０４】
遠隔画像受信部７３は、遠隔画像送信部６３からの画像データ（出力画像（Ｃ）のデータ）を受信し、後述の遠隔画像処理部８２に送信する。遠隔画像送信部７４は、遠隔画像処理部８２から画像データを受信し、遠隔画像受信部６４に対して、この画像データを送信する。
【０１０５】
遠隔操作受信部７５は、遠隔操作送信部６５からの操作データ（ストローク画像（Ｂ）等のデータ）を受信し、後述の遠隔操作処理部８３に送信する。遠隔操作送信部７６は、遠隔操作処理部８３から操作データを受信し、遠隔操作受信部６６に対して、この操作データを送信する。
【０１０６】
（データ管理部の機能構成）
次に、図６を用いて、データ管理部８０の機能構成について説明する。データ管理部８０は、遠隔接続処理部８１、遠隔画像処理部８２、遠隔操作処理部８３、操作合成処理部８４、及びページ処理部８５を有している。更に、サーバ部９０は、パスコード管理部８１０、参加拠点管理テーブル８２０、画像データ記憶部８３０、操作データ記憶部８４０、及びページデータ記憶部８５０を有している。
【０１０７】
このうち、遠隔接続処理部８１は、遠隔共有処理の開始、及び遠隔共有処理の終了を行う。また、遠隔接続処理部８１は、遠隔接続要求受信部７１が、遠隔開始処理部６１から遠隔共有処理の開始要求と共に受信したライセンス情報、又は、遠隔参加処理部６２から遠隔共有処理の参加要求と共に受信したライセンス情報に基づいて、ライセンスの有無やライセンスの期間内であるかを確認する。更に、遠隔接続処理部８１は、クライアント部としての他の電子黒板２からの参加要求が予め定められた参加可能数を超えていないかを確認する。
【０１０８】
更に、遠隔接続処理部８１は、他の電子黒板２から遠隔共有処理に対する参加要求があった際に送られて来たパスコードが、パスコード管理部８１０で管理されているパスコードと同じであるか否かを判断し、同じである場合には、遠隔共有処理の参加を許可する。なお、このパスコードは、新たに遠隔共有処理を開始する際に、遠隔接続処理部８１によって発行され、遠隔共有処理に参加しようとする参加装置としての電子黒板２のユーザが、主催装置としての電子黒板２のユーザから、電話や電子メール等により伝えられる。これにより、遠隔共有処理に参加しようとする参加装置のユーザが、タッチパネル等の入力装置によって参加装置にパスコードを入力して参加要求することで、参加が許可されることになる。なお、セキュリティよりもユーザの使い勝手を優先して、ライセンス状況の確認だけで、パスコードの確認を省略してもよい。
【０１０９】
また、電子黒板２が主催装置の場合、遠隔接続処理部８１は、参加装置の遠隔参加処理部６２から通信ネットワーク９を介して送られて来た参加要求に含まれる参加拠点情報を、サーバ部９０の参加拠点管理テーブル８２０に記憶する。そして、遠隔接続処理部８１は、参加拠点管理テーブル８２０に記憶されている遠隔拠点情報を読み出し、遠隔接続結果送信部７２に送信する。遠隔接続結果送信部７２は、同じ主催装置のクライアント部２０における遠隔開始処理部６１に遠隔拠点情報を送信する。遠隔開始処理部６１は、参加拠点管理テーブルに６１０に、遠隔拠点情報を記憶する。これにより、主催装置では、クライアント部２０及びサーバ部９０の両方で、遠隔拠点情報を管理することになる。
【０１１０】
遠隔画像処理部８２は、遠隔共有処理中の各電子黒板２のクライアント部（主催装置である自己の電子黒板２のクライアント部を含む）に接続された映像出力機器（ノートＰＣ６等）からの画像データ（出力画像（Ｃ））を受信して画像データ記憶部８３０に記憶すると共に、主催装置である自己の電子黒板２のサーバ部９０に届いた時間順で遠隔共有処理すべき画像データの表示順を判断する。また、遠隔画像処理部８２は、参加拠点管理テーブル８２０を参照し、遠隔共有処理に参加中の全ての電子黒板２のクライアント部２０（主催装置である自己の電子黒板２のクライアント部を含む）に、通信制御部７０（遠隔画像送信部７４）を介して、上記判断した順番で画像データを送信する。
【０１１１】
遠隔操作処理部８３は、遠隔共有処理中の各電子黒板２のクライアント部（主催装置である自己の電子黒板２のクライアント部を含む）で描画されたストローク画像等の各種操作データ（ストローク画像（Ｂ）等）を受信し、主催装置である自己の電子黒板２のサーバ部９０に届いた時間順で遠隔共有処理すべき画像の表示順を判断する。なお、各種操作データは、上記の各種操作データと同じである。また、遠隔操作処理部８３は、参加拠点管理テーブル８２０を参照し、遠隔共有処理中の全ての電子黒板２のクライアント部２０（主催装置である自己の電子黒板２のクライアント部を含む）に操作データを送信する。
【０１１２】
操作合成処理部８４は、遠隔操作処理部８３から出力された各電子黒板２の操作データを合成し、この合成結果としての操作データを、操作データ記憶部８４０に記憶すると共に遠隔操作処理部８３に戻す。この操作データは、遠隔操作送信部７６から、主催装置である電子黒板２のクライアント部、及び参加装置である電子黒板２のクライアント部のそれぞれに送信されることで、各電子黒板２で同じ操作データに係る画像が表示される。操作データの一例を表１１に示す。
【０１１３】
【表１１】
2017110505.tif 000013
操作データは、表１１に示されているように、SEQ(Sequence)、操作データの操作名、操作データの送信元である電子黒板２のＩＰアドレス及びクライアント部（サーバ部）のPort No.、操作データの送信先である電子黒板２のＩＰアドレス及びクライアント部（サーバ部）のPort No,、操作データの操作種類、操作データの操作対象、並びに操作データの内容を示すデータが関連付けられて示されている。例えば、SEQ1では、主催装置である電子黒板２（ＩＰアドレス：192.0.0.1）のクライアント部（Port No.:50001）でストロークが描画されると、同じ主催装置である電子黒板２（ＩＰアドレス：192.0.0.1）のサーバ部（Port No.:50000）に操作データが送られたことが示されている。この場合の操作種類は「STROKE」、操作対象はページデータＩＤ「p005」、及び、操作データの内容を示すデータはストロークを示すデータである。また、SEQ2では、主催装置である電子黒板２（ＩＰアドレス：192.0.0.1）のサーバ部（Port No.:50000）から、参加装置である他の電子黒板２（ＩＰアドレス：192.0.0.1）のクライアント部（Port No.:50001）に、操作データが送られたことが示されている。
【０１１４】
なお、操作合成処理部８４は、この操作合成処理部８４に操作データが入力された順に合成を行うため、通信ネットワーク９が混雑していなければ、各電子黒板２のユーザによるストローク順に、遠隔共有処理中の全ての電子黒板２のディスプレイ３にストローク画像（Ｂ）が表示される。
【０１１５】
ページ処理部８５は、クライアント部２０の画像処理部３０におけるページ処理部３７と同様の機能を有し、サーバ部９０でも、表１から表３に示されているページデータを、ページデータ記憶部８５０に記憶する。なお、ページデータ記憶部８５０は、画像処理部３０におけるページデータ記憶部３００と同じ内容であるため、その説明を省略する。
【０１１６】
＜実施形態の処理又は動作＞
続いて、図８及び図９を用いて、本実施形態の処理又は動作について説明する。なお、図８及び図９は、各電子黒板２の処理を示したシーケンス図である。図８及び図９に示す実施形態では、電子黒板２ａが遠隔共有処理を主催する主催装置（サーバ部及びクライアント部）としての役割を果たしており、電子黒板２ｂ，２ｃが遠隔共有処理に参加する参加装置（クライアント部）としての役割を果たす場合について説明する。また、ここでは、電子黒板２ａ，２ｂ，２ｃには、それぞれディスプレイ３ａ，３ｂ，３ｃが接続され、更に、それぞれノートＰＣ６ａ，６ｂ，６ｃが接続されている。また、電子黒板２ａ，２ｂ，２ｃでは、それぞれ電子ペン４ａ，４ｂ，４ｃが使用される。
【０１１７】
（参加の処理）
まずは、図８を用いて、電子黒板２ｂ，２ｃが遠隔共有処理に参加するための処理について説明する。
【０１１８】
ユーザが電子黒板２ａの電源スイッチをオンにすると、電子黒板２ａのクライアント部２０が起動する。そして、ユーザがタッチパネル等の入力装置によってサーバ部９０を起動させる操作をすると、クライアント部２０の遠隔開始処理部６１から同じ電子黒板２ａのサーバ部９０における遠隔接続要求受信部７１に、サーバ部９０の処理を開始させる指示を出力する。これにより、電子黒板２ａでは、クライアント部２０だけでなくサーバ部９０も各種処理を開始可能となる（ステップＳ２１）。
【０１１９】
次に、電子黒板２ａのクライアント部２０におけるＵＩ画像生成部３３が電子黒板２ａとの接続を確立するための接続情報を生成し、映像重畳部２８が、ＵＩ画像生成部３３から表示重畳部３６を介して得た接続情報をディスプレイ３ａに表示させる（ステップＳ２２）。
【０１２０】
この接続情報には、主催装置のＩＰアドレス、及び今回の遠隔共有処理のために生成されたパスコードが含まれている。この場合、パスコード管理部８１０に記憶されているパスコードは、図７に示されている遠隔接続処理部８１によって読み出され、遠隔接続結果送信部７２、遠隔開始処理部６１の順に送信される。更に、パスコードは、遠隔開始処理部６１を含む通信制御部６０から、図５に示されている画像処理部３０に送信され、最終的にＵＩ画像生成部３３に入力される。これにより、接続情報には、パスコードが含まれる。そして、接続情報は、電子黒板２ａのユーザによって、電話や電子メールにより、電子黒板２ｂ，２ｃのユーザに伝えられる。なお、接続先管理テーブル４４０があれば、接続情報には、主催装置のＩＰアドレスが含まれていなくても、参加装置は参加要求を行うことができる。
【０１２１】
次に、電子黒板２ｂ，２ｃでは、各ユーザによるタッチパネル等の入力装置の操作によって接続情報の入力を受け付けると、各電子黒板２ａ，２ｂのクライアント部２０における遠隔参加処理部６２が、接続情報のＩＰアドレスに基づき、通信ネットワーク９を介して、電子黒板２ａのサーバ部９０における通信制御部７０に対してパスコードを送信して参加要求を行う（ステップＳ２３，Ｓ２４）。これにより、通信制御部７０の遠隔接続要求受信部７１は、各電子黒板２ｂ，２ｃから、参加要求（パスコードを含む）を受信し、このパスコードを遠隔接続処理部８１に出力する。
【０１２２】
次に、遠隔接続処理部８１は、各電子黒板２ｂ，２ｃから受信したパスコードに対し、パスコード管理部８１０で管理されているパスコードを用いて認証する（ステップＳ２５）。
【０１２３】
そして、遠隔接続結果送信部７２が、各電子黒板２ｂ，２ｃのクライアント部２０に認証結果を通知する（ステップＳ２６，Ｓ２７）。
【０１２４】
ステップＳ２５の認証により、各電子黒板２ｂ，２ｃが正当な電子黒板２であると判断されていた場合には、主催装置である電子黒板２ａと、参加装置である電子黒板２ｂ，２ｃとの遠隔共有処理の通信が確立され、各電子黒板２ｂ，２ｃのクライアント部２０における遠隔参加処理部６２が、それぞれ他の電子黒板２との間の遠隔共有処理の開始を可能にする（ステップＳ２８，Ｓ２９）。
【０１２５】
（出力画像の表示）
続いて、図８を用いて、遠隔共有処理における出力画像（Ｃ）が表示される処理について説明する。
【０１２６】
まず、電子黒板２ｂは、ディスプレイ３ｂに出力画像（Ｃ）を表示する（ステップＳ３０）。具体的には、電子黒板２ｂの画像取得部３１が、ノートＰＣ６ｂから映像取得部２１を介して、ノートＰＣ６ｂで表示されている出力画像（Ｃ）のデータを受信し、表示重畳部３６及び映像重畳部２８を介してディスプレイ３ｂに送信することで、ディスプレイ３ｂは出力画像（Ｃ）を表示する。
【０１２７】
次に、電子黒板２ｂの画像取得部３１を含む画像処理部３０が、遠隔画像送信部６３に出力画像（Ｃ）のデータを送信することで、遠隔画像送信部６３を含む通信制御部６０が通信ネットワーク９を介して、主催装置である電子黒板２ａの通信制御部７０に出力画像（Ｃ）のデータを送信する（ステップＳ３１）。これにより、電子黒板２ａの遠隔画像受信部７３は、出力画像（Ｃ）のデータを受信し、遠隔画像処理部８２に出力することで、遠隔画像処理部８２が画像データ記憶部８３０に出力画像（Ｃ）のデータを記憶する。
【０１２８】
次に、主催装置である電子黒板２ａは、ディスプレイ３ａに出力画像（Ｃ）を表示する（ステップＳ３２）。具体的には、電子黒板２ａの遠隔画像処理部８２は、遠隔画像受信部７３から受信した出力画像（Ｃ）のデータを、遠隔画像送信部７４に出力する。遠隔画像送信部７４は、同じ主催装置である電子黒板２ａのクライアント部２０における遠隔画像受信部６４に、出力画像（Ｃ）のデータを出力する。遠隔画像受信部６４は、表示重畳部３６に出力画像（Ｃ）のデータを出力する。表示重畳部３６は、映像重畳部２８に出力画像（Ｃ）のデータを出力する。映像重畳部２８はディスプレイ３ａに出力画像（Ｃ）のデータを出力する。これにより、ディスプレイ３ａは、出力画像（Ｃ）を表示する。
【０１２９】
次に、主催装置としての電子黒板２ａのサーバ部９０における遠隔画像送信部７４を含む通信制御部７０は、通信ネットワーク９を介して、出力画像（Ｃ）のデータの送信元である電子黒板２ｂ以外の電子黒板２ｃの通信制御部６０に出力画像（Ｃ）のデータを送信する（ステップＳ３３）。これにより、参加装置である電子黒板２ｃの遠隔画像受信部６４は、出力画像（Ｃ）のデータを受信する。
【０１３０】
次に、電子黒板２ｃは、ディスプレイ３ｃに出力画像（Ｃ）を表示する（ステップＳ３４）。具体的には、電子黒板２ｃの遠隔画像受信部６４が、上記ステップＳ３３によって受信された出力画像（Ｃ）のデータを、電子黒板２ｃの表示重畳部３６に出力する。表示重畳部３６は、映像重畳部２８に出力画像（Ｃ）のデータを出力する。映像重畳部２８はディスプレイ３ｃに出力画像（Ｃ）のデータを出力する。これにより、ディスプレイ３ｃは、出力画像（Ｃ）を表示する。
【０１３１】
なお、出力画像（Ｃ）のデータだけでなく、ＵＩ画像（Ａ）、ストローク画像（Ｂ）及び透かし画像（Ｅ）の各画像が、映像重畳部２８に入力されている場合には、表示重畳部３６により、重畳画像（Ａ，Ｂ，Ｃ）が生成され、映像重畳部２８はディスプレイ３ｃに重畳画像（Ａ，Ｂ，Ｃ）のデータを出力する。後述するように、透かし画像（Ｅ）は表示されない。また、テレビ会議端末７から映像重畳部２８に、テレビ会議用の映像（Ｆ）のデータが送られて来ている場合には、映像重畳部２８は、重畳画像（Ａ，Ｂ，Ｃ）にピクチャーインピクチャーによりテレビ会議用の映像（Ｆ）のデータを重畳して、ディスプレイ３ｃに出力する。
【０１３２】
なお、透かし画像（Ｅ）に関しては主催装置と参加装置の間で送受信されない。したがって、透かし画像（Ｅ）が表示されるかどうかは電子黒板２によって異なる。また、各電子黒板２が表示する透かし画像（Ｅ）も電子黒板２によって異なっていてよい（同じ場合もある）。
【０１３３】
また、透かし画像データは電子黒板２の間で送受信されてもよい。電子黒板２は、電子黒板２の動作に関する設定が記述された設定情報を伝達する機能を有している。設定情報とは、例えば、電子黒板２が適切に動作するための設定（同期時刻、再起動時刻など）、電子黒板２の動作を許可又は制限するための設定（パスコードなどのセキュリティに関する設定）、各機能のオン／オフの設定、ネットワークを介してインターネットや他の機器と通信するための設定（ＩＰアドレス等）、などを含む。設定情報を伝達する機能を利用して、設定情報と共に透かし画像データを電子黒板２の間で共有できる。
【０１３４】
（重畳画像の表示）
続いて、図９を用いて、遠隔共有処理における重畳画像が表示される処理について説明する。
【０１３５】
まず、電子黒板２ｂは、ユーザが電子ペン４ｂを用いて電子黒板２ｂにストローク画像（Ｂ）を描画する（ステップＳ４１）。
【０１３６】
次に、電子黒板２ｂの表示重畳部３６は、図７に示されているように、ＵＩ画像（Ａ）、及び出力画像（Ｃ）に対して、ストローク画像（Ｂ）を重畳し、映像重畳部２８が電子黒板２ｂのディスプレイ３ｂ上に、重畳された重畳画像（Ａ，Ｂ，Ｃ）を表示させる（ステップＳ４２）。具体的には、電子黒板２ｂのストローク処理部３２が座標検知部２２及び接触検知部２４からイベント振分部２５を介して、操作データとしてのストローク画像（Ｂ）のデータを受信し、表示重畳部３６に送信する。これにより、表示重畳部３６は、ＵＩ画像（Ａ）、及び出力画像（Ｃ）に対して、ストローク画像（Ｂ）を重畳することができ、映像重畳部２８が電子黒板２ｂのディスプレイ３ｂ上に重畳画像（Ａ，Ｂ，Ｃ）を表示させることができる。
【０１３７】
次に、電子黒板２ｂのストローク処理部３２を含む画像処理部３０が、遠隔操作送信部６５にストローク画像（Ｂ）のデータを送信することで、電子黒板２ｂの遠隔操作送信部６５は、通信ネットワーク９を介して、主催装置である電子黒板２ａの通信制御部７０にストローク画像（Ｂ）のデータを送信する（ステップＳ４３）。
【０１３８】
これにより、電子黒板２ａの遠隔操作受信部７５は、ストローク画像（Ｂ）のデータを受信し、遠隔操作処理部８３に出力することで、遠隔操作処理部８３が操作合成処理部８４にストローク画像（Ｂ）のデータを出力する。このようにして、電子黒板２ｂで描画されたストローク画像（Ｂ）のデータは、描画される度に、主催装置である電子黒板２ａの遠隔操作処理部８３に順次送信される。このストローク画像（Ｂ）のデータは、図８に示されているストロークデータＩＤ毎に示されるデータである。よって、例えば、上記したように、ユーザが電子ペン４によってアルファベット「Ｔ」を描く場合は二筆書きとなるため、２つのストロークデータＩＤのそれぞれで示されるストローク画像（Ｂ）のデータが順次送信される。
【０１３９】
次に、主催装置である電子黒板２ａは、ディスプレイ３ａに、電子黒板２ｂから送られて来たストローク画像（Ｂ）のデータが含まれた重畳画像（Ａ，Ｂ，Ｃ）を表示する（ステップＳ４４）。具体的には、電子黒板２ａの操作合成処理部８４は、遠隔操作処理部８３を介して順次送られて来た複数のストローク画像（Ｂ）のデータを合成して、操作データ記憶部８４０に記憶すると共に遠隔操作処理部８３に戻す。これにより、遠隔操作処理部８３は、操作合成処理部８４から受信した、合成後のストローク画像（Ｂ）のデータを、遠隔操作送信部７６に出力する。遠隔操作送信部７６は、同じ主催装置である電子黒板２ａのクライアント部２０における遠隔操作受信部６６に、合成後のストローク画像（Ｂ）のデータを出力する。遠隔操作受信部６６は、画像処理部３０における表示重畳部３６に、合成後のストローク画像（Ｂ）のデータを出力する。よって、表示重畳部３６は、ＵＩ画像（Ａ）、及び出力画像（Ｃ）に対して、合成後のストローク画像（Ｂ）を重畳する。最後に、映像重畳部２８が、表示重畳部３６によって重畳された重畳画像（Ａ，Ｂ，Ｃ）をディスプレイ３ａ上に表示させる。
【０１４０】
次に、主催装置としての電子黒板２ａのサーバ部９０における遠隔操作送信部７６を含む通信制御部７０は、通信ネットワーク９を介して、ストローク画像（Ｂ）のデータの送信元である電子黒板２ｂ以外の電子黒板２ｃの通信制御部６０に、合成後のストローク画像（Ｂ）のデータを送信する（ステップＳ４５）。これにより、参加装置である電子黒板２ｃの遠隔操作受信部６６は、合成後のストローク画像（Ｂ）のデータを受信する。
【０１４１】
次に、電子黒板２ｃは、ディスプレイ３ｃに重畳画像（Ａ，Ｂ，Ｃ）を表示する（ステップＳ４６）。具体的には、電子黒板２ｃの遠隔操作受信部６６が、上記ステップＳ４５によって受信された合成後のストローク画像（Ｂ）のデータを、電子黒板２ｃの画像処理部３０に出力する。画像処理部３０の表示重畳部３６は、ＵＩ画像（Ａ）、及び出力画像（Ｃ）の各データと、合成後のストローク画像（Ｂ）のデータを重畳し、映像重畳部２８に重畳画像（Ａ，Ｂ，Ｃ）のデータを出力する。映像重畳部２８は、ディスプレイ３ｃに重畳画像（Ａ，Ｂ，Ｃ）のデータを出力する。これにより、ディスプレイ３ｃは、重畳画像（Ａ，Ｂ，Ｃ）を表示する。
【０１４２】
なお、上記処理では、ディスプレイ３上に出力画像（Ｃ）が表示されているが、この出力画像（Ｃ）に代えて、背景画像（Ｄ）を表示してもよい。また、出力画像（Ｃ）と背景画像（Ｄ）との排他的な関係をやめて、出力画像（Ｃ）と背景画像（Ｄ）との両方を同時にディスプレイ３上に表示させてもよい。
【０１４３】
（参加の終了）
続いて、図９を用いて、参加装置が遠隔共有処理への参加を終了する処理について説明する。図９に示す実施形態では、電子黒板２ｃが参加を終了する処理が示されている。
【０１４４】
まず、電子黒板２ｃでは、ユーザによるタッチパネル等の入力装置の操作によって参加の終了要求を受け付けると、遠隔参加処理部６２は、主催装置としての電子黒板２ａのサーバ部９０における通信制御部７０に、参加の終了要求を行う（ステップＳ４７）。これにより、通信制御部７０の遠隔接続要求受信部７１は、電子黒板２ｃから、参加の終了要求を受信し、遠隔接続処理部８１に、電子黒板２ｃのＩＰアドレスと共に参加の終了要求を出力する。そして、電子黒板２ａの遠隔接続処理部８１は、遠隔接続要求受信部７１から送られて来たＩＰアドレスに基づいて、参加拠点管理テーブル８２０から、参加の終了要求を行った電子黒板２ｃのＩＰアドレス及び電子黒板２ｃが設置されている拠点の名称を削除し、遠隔接続結果送信部７２に、電子黒板２ｃのＩＰアドレス及び削除した旨の通知を出力する。
【０１４５】
次に、遠隔接続結果送信部７２を含んだ通信制御部７０が、通信ネットワーク９を介して、電子黒板２ｃのクライアント部２０における通信制御部６０に、参加の終了を指示する（ステップＳ４８）。これにより、電子黒板２ｃにおける通信制御部６０の遠隔参加処理部６２が、遠隔共有処理の通信を切断することで、参加の終了処理を行うことで、参加が終了する（ステップＳ４９）。
【０１４６】
＜透かし画像のアップロード＞
上記のように例えば管理者は管理者端末を使って電子黒板２と通信し、透かし画像のファイルを電子黒板２にアップロードできる。
【０１４７】
図１０Ａは管理者端末の画面例を示す。図１０Ａは電子黒板２のＷｅｂサーバが提供するＷｅｂページの一部を示す。以下、図１０Ａに示す画面をアップロード画面６０１という。アップロード画面６０１はポート番号欄６０２、ＩＰＩＤ欄６０３、及びアップロードボタン６０４を有する。ポート番号欄６０２には電子黒板２が各種の設定を受け付けるポート番号が設定される。ＩＰＩＤ欄６０３にはＩＰＩＤが入力される。ＩＰＩＤは電子黒板２のＩＰアドレスを特定する情報であり、電子黒板２のＩＤと同じ値である。管理者はＩＰアドレスでなくＩＰＩＤを入力すればよいので透かし画像のアップロードをすることが容易になる。電子黒板２のＩＤとＩＰアドレスが対応付けられたテーブルは電子黒板２から送信されるか管理者端末が記憶している。なお、ＩＰアドレスを入力してもよい。なお、図１０Ａのアドレス入力欄には対象となる電子黒板を特定するため、対象となる電子黒板と関連付けられたＩＰアドレスやホスト名を入力することがよくある。このような場合には、既にＩＰアドレスが特定されているため、ＩＰＩＤ欄はなくてもよい。
【０１４８】
管理者がアップロードボタン６０４を押下すると、図１０Ｂのファイル選択画面６１１が表示される。ファイル選択画面６１１はファイル一覧部６１２、及び開くボタン６１３を有している。管理者はファイル一覧部６１２から透かし画像のファイルを選択し、開くボタン６１３を押下する。これにより、透かし画像のファイルが電子黒板２に送信される。
【０１４９】
＜透かし画像について＞
図１１Ａは透かし画像の一例を示す。図１１Ｂは、透かし画像の別の例を示す。図１１Ａは「Confidential」という文字を表示する透かし画像であり、図１１Ｂは全体が均一色の透かし画像である。なお、説明の便宜上、図１１Ａ及び図１１Ｂは、ＵＩ画像（Ａ）、ストローク画像（Ｂ）、出力画像（Ｃ）及び背景画像（Ｄ）が表示されていない状態を示している。
【０１５０】
図１１Ａの透かし画像がディスプレイ３に表示された場合、ストローク画像（Ｂ）及び背景画像（Ｃ）が機密事項であることをディスプレイ３を見ている１以上のユーザに報知できる。また、図１１Ｂの透かし画像がディスプレイ３に表示された場合、通常は白色のディスプレイ３をより輝度の小さい色合いで表示できるためユーザがまぶしく感じることを抑制できる。ディスプレイ３の明るさを下げると画面を暗く感じるおそれがあるが、透かし画像（Ｅ）を使えばディスプレイ３の明るさを下げずにまぶしく感じにくくすることができる。例えば、グリーンや黒色（完全な黒でなくてもよい）の均一色とすれば、チョークで文字等が描かれる黒板に似た色合いとなる。透明な均一色の透かし画像であれば、全体が暗くなるためコントラストを調整するような効果も得られる。
【０１５１】
図１１のような透かし画像（Ｅ）が出力画像（Ｃ）よりも手前にあるため、ユーザは透かし画像（Ｅ）越しに出力画像（Ｃ）を視認できる。上記したように、電子黒板２に記憶された透かし画像（Ｅ）は、例えば、図１１Ａに示すような１以上の所定の文字を有する画像または、図１１Ｂに示すような均一な色の画像であってもよい。
【０１５２】
ユーザは、透明度を百分率で設定することができる。また、ＰＮＧは画素単位で透明度が設定される機能を持つ。本実施形態では、０％が完全な透明、１００％が完全な不透明であるものとする。一般の言葉の解釈と逆なのは、ＰＮＧの透明度の定義にしたがっているためであり、０％が完全な不透明、１００％が完全な透明であると定義してもよい。
【０１５３】
図１１Ａは「Confidential」という文字の部分（画素単位）の透明度が２０％、それ以外を透明度が０％の透かし画像である。図１１Ｂは全体が白い画像に全体が黒く透明度が２０％の透かし画像を重ね合わせた例である。
【０１５４】
図１１Ａの文字や図１１Ｂの均一画像は一例に過ぎない。電子黒板２は種々の文字を透かし画像で表示できるし、種々の風景や写真などを透かし画像で表示できる。また、透かし画像は動画でもよい。上記したように、操作処理部２６は、透かし画像（Ｅ）の一部又は全部の透明度の設定（設定値）を受け付けることができる。透かし画像（Ｅ）は設定された透明度で表示される。
【０１５５】
図１２は透明度の設定方法を説明するフローチャートの一例である。適宜、図１３Ａ及びＢを参照して説明する。まず、ユーザは透かし画像の透明度を選択するメニューをＵＩ画像（Ａ）から選択する。複数の透かし画像データがページデータ記憶部３００に記憶されている場合、ユーザは透明度を設定したい透かし画像データを一覧から選択する。これにより、透かし画像生成部３８はディスプレイ３に透かし画像（Ｅ）を表示させる（ステップＳ１０）。
【０１５６】
また、透かし画像生成部３８は透明度を設定する色又は領域の設定を受け付ける（ステップＳ２０）。より詳細には座標検知部２２が電子ペン４又は指が接触した座標を検知すると、イベント振分部２５がＵＩ操作が行われたと判断し、操作処理部２６に通知する。操作処理部２６は電子ペン４又は指が接触した座標により操作内容を判断し（色又は領域の設定操作）、透かし画像生成部３８に通知する。
【０１５７】
次に、透かし画像生成部３８は透明度の設定を受け付ける（ステップＳ３０）。例えば、透かし画像の透明度は、ユーザにより設定される。座標検知部２２から透かし画像生成部３８までの処理の流れはステップＳ２０と同様である。透かし画像生成部３８はステップＳ２０で指定された色又は領域の透明度をステップＳ３０で設定された透明度で再表示する。
【０１５８】
透かし画像生成部３８はユーザが透明度の設定を終了するまでステップＳ２０〜Ｓ４０の処理を繰り返す（ステップＳ５０）。
【０１５９】
図１３Ａは、色の指定を受け付けて透明度の設定を受け付ける透明度設定画面５０１の一例を示す。透明度設定画面５０１は、透かし画像が表示される透かし画像欄５０２、色設定部５０３、透明度スライダ５０４、及び透明度入力欄５０５を有する。
【０１６０】
ユーザは電子ペン４又は指で透明度を変更する色を指定する。例えば、「Confidential」という文字の透明度を変更する場合は、ユーザは「Confidential」のどこでも一部を電子ペン４又は指でタッチする。座標検知部２２によりタッチされた画素が分かる(検知できる)ので、透かし画像生成部３８はこの画素の色を検出できる。
【０１６１】
次に、ユーザが透明度スライダ５０４又は透明度入力欄５０５を操作して透明度を設定すると、透かし画像生成部３８がこれを受け付け、同じ色を持つ全ての画素を設定された透明度に設定する。透明度は画素ごとに透かし画像データに記録される。
【０１６２】
このように文字の部分を指定して透明度を変更できるので、２色以上の色（文字の部分とその他）を有する透かし画像データの全体の透明度を変えることなく文字のみの透明度を変更できる。別の言い方をすれば、ユーザは透かし画像の透明度を部分的に及び全体的に変更（設定）することができる。
【０１６３】
また、ユーザは「Confidential」という文字や背景の色を変更することができる。ユーザが電子ペン４又は指で色設定部５０３を押下すると透かし画像生成部３８がこれを受け付け、色パレットを表示する。ユーザは色パレットから任意の色を選択して、電子ペン４又は指のタッチで指定した画素の色を選択した色を変更できる。
【０１６４】
図１３Ｂは、領域の指定を受け付けて透明度の設定を受け付ける透明度設定画面５０１の一例を示す。ユーザは電子ペン４又は指で透明度を変更する領域５０６を指定する。例えば、ユーザは、２点を指定して矩形領域を描画したり、円を描画したり、自由筆記で領域５０６を描画する。透かし画像生成部３８は座標検知部２２を介して領域５０６の座標を取得するのでこの領域内の画素を特定できる。
【０１６５】
次に、ユーザが透明度スライダ５０４又は透明度入力欄５０５を操作して透明度を設定すると、透かし画像生成部３８がこれを受け付け、指定された領域の画素を設定された透明度に設定する。図１３Ｂの透明度設定画面５０１では、均一の色を有する透かし画像データや色数が多い複雑な透かし画像データの任意の領域を指定して透明度を設定できる。なお、図１３Ａと同様に、ユーザが指定した領域の色を変更することも可能である。領域５０６として透かし画像の全体を選択すれば透かし画像の全体の透明度を設定できる。
【０１６６】
図１３Ａの設定方法と図１３Ｂの設定方法は、両方とも電子黒板２に実装されており、ユーザが任意に選択できる。
【０１６７】
＜透かし画像データの有効化＞
電子黒板２が透かし画像を表示するか否かの制御について説明する。透かし画像データがページデータ記憶部３００に記憶されている場合、電子黒板２が自動的に（ユーザの操作がなくても）ディスプレイ３に透かし画像（Ｅ）を表示すれば、ユーザが透かし画像（Ｅ）を表示し忘れたりすることがなく便利である。そこで、電子黒板２は透かし画像（Ｅ）が記憶されている場合、透かし画像（Ｅ）を有効にするものとする。
【０１６８】
透かし画像（Ｅ）を有効にするとは、透かし画像（Ｅ）を表示する条件（表示条件）が成立した場合は自動的に透かし画像（Ｅ）を表示することを言う。すなわち、透かし画像（Ｅ）が有効であっても表示条件が成立しない場合、電子黒板２は透かし画像（Ｅ）を表示しない。表示条件は例えば映像が入力されていることである。表示条件の詳細は後述する。
【０１６９】
図１４は、透かし画像生成部３８が透かし画像（Ｅ）を有効とするか無効とするかの制御手順を示すフローチャートの一例である。図１４の処理は、例えば電子黒板２の起動時、又は、起動中に定期的に実行される。
【０１７０】
まず、透かし画像生成部３８は、ページ処理部３７を介してページデータ記憶部３００に透かし画像データが記憶されているか否かを判断する（ステップＳ１０）。透かし画像データがページデータ記憶部３００の所定のフォルダ又はディレクトリに記憶されている場合、ページデータ記憶部３００は該フォルダ又はディレクトリのファイルの有無を判断する。更に、所定の拡張子(*.png)のデータが記憶されているか否か又は所定のファイル名のデータが記憶されているか否かに基づいて、透かし画像生成部３８は、ページデータ記憶部３００に透かし画像データが記憶されているか否かを判断してもよい。
【０１７１】
ステップＳ１０の判断がＹｅｓの場合、透かし画像生成部３８は、ページ処理部３７を介して透かし画像データをページ処理部３７から取得する（ステップＳ２０）。透かし画像が複数ある場合は、例えば図１５のような画面で選択された透かし画像データを取得する。別の言い方をすれば、操作処理部２６は複数の透かし画像をディスプレイ３に表示し、複数の透かし画像から選択された一つの画像を使用（表示）されるべき透かし画像として受け付ける。
【０１７２】
そして、透かし画像生成部３８は、レイアウト管理部３５に対し透かし画像を有効に設定する（ステップＳ３０）。レイアウト管理部３５は透かし画像（Ｅ）が有効なので、表示重畳部３６に対し透かし画像（Ｅ）のレイヤを表示するよう要求する。透かし画像生成部３８が透かし画像を表示重畳部３６に送出すれば、ディスプレイ３に透かし画像（Ｅ）が表示される。
【０１７３】
ステップＳ１０の判断がＮｏの場合、透かし画像生成部３８は、レイアウト管理部３５に対し透かし画像（Ｅ）のレイヤを無効に設定する（ステップＳ４０）。透かし画像（Ｅ）が無効なので、レイアウト管理部３５は表示重畳部３６に対し透かし画像（Ｅ）のレイヤを表示しないよう要求する。透かし画像生成部３８が透かし画像を表示重畳部３６に送出しても、ディスプレイ３に透かし画像（Ｅ）は表示されない。
【０１７４】
なお、図１４の判断は透かし画像生成部３８ではなくレイアウト管理部３５が行ってもよい。
【０１７５】
このように自動的に透かし画像の有効又は無効が設定されることで、ユーザが透かし画像（Ｅ）を表示したい場合に透かし画像（Ｅ）を有効に設定する必要がない。しかしながら、ユーザが透かし画像を表示したくない場合も存在すると考えられる。この場合、ユーザはページデータ記憶部３００から透かし画像データを削除すればよいが、ユーザにとっては手間となる場合がある。そこで、以下のようにユーザが有効/無効を選択できることが有効である。
【０１７６】
図１５は、透かし画像の有効/無効が設定される有効無効設定画面５１１の一例を示す図である。有効無効設定画面５１１は、縮小透かし画像データ欄５１２、データ選択ボタン５１３、有効設定欄５１４、及び有効設定ボタン５１５を有している。有効無効設定画面５１１はユーザが所定の操作を行うことで例えばＵＩ画像生成部３３が表示させる。
【０１７７】
ユーザは透かし画像データの一覧の中から透かし画像データを１つ選択する。データ選択ボタン５１３は排他ボタンであるのでユーザは任意の１つのボタン（１つの透かし画像）のみを選択できる。また、ユーザは透かし画像を有効とする場合は「はい」の前にある有効設定ボタン５１５を選択する。ユーザは、透かし画像を無効とする場合は「いいえ」の前にある有効設定ボタン５１５を選択する。有効設定ボタン５１５も排他ボタンである。このようにユーザは透かし画像を選択できると共に有効とするか無効とするかを電子黒板２のディスプレイ３で設定できる。なお、選択された透かし画像データ、及び、有効か無効かの設定内容はページデータ記憶部３００に記憶される。
【０１７８】
図１６は、透かし画像生成部３８が透かし画像（Ｅ）を有効とするか無効とするかの制御手順を示すフローチャートの一例である。図１６の説明では図１４との相違を説明する。
【０１７９】
図１６では、透かし画像生成部３８はページデータ記憶部３００に記憶されているユーザの設定内容を参照し、透かし画像が有効に設定されているか否かを判断する（ステップＳ５）。
【０１８０】
ステップＳ５の判断がＹｅｓの場合、処理はステップＳ１０に進み、ステップＳ５の判断がＮｏの場合、処理はステップＳ４０に進む。以降は、図１４の処理と同様に処理が実行される。したがって、ユーザが透かし画像を表示したくない場合は、透かし画像データがページデータ記憶部３００に記憶されていても透かし画像を表示させない。ユーザが透かし画像を表示させたい場合、透かし画像データがページデータ記憶部３００に記憶されていれば、表示条件が成立した場合に自動的に透かし画像データを表示させることができる。
【０１８１】
＜映像入力の有無に基づく透かし画像の表示と非表示の切り替え＞
以上のように、透かし画像データが有効に設定された場合、表示重畳部３６は透かし画像（Ｅ）をディスプレイ３に表示することができる。しかし、透かし画像が邪魔になる場合があるため、以下のようにレイアウト管理部３５は表示条件が成立するか否かを判断し、透かし画像（Ｅ）の表示と非表示を切り替える。
【０１８２】
図１７は、レイアウト管理部３５が映像の入力の有無に応じて透かし画像（Ｅ）の表示と非表示を切り替える手順を示すフローチャートの一例である。図１７は、透かし画像が有効である場合に例えば定期的に実行される。
【０１８３】
まず、レイアウト管理部３５はノートＰＣ６から映像が入力されているか否かを判断する（ステップＳ１０）。ノートＰＣ６からの映像は映像取得部２１が取得し画像取得部３１が取得する。レイアウト管理部３５は画像取得部３１に映像の入力の有無を問い合わせる。あるいは、レイアウト管理部３５は、表示重畳部３６に、画像取得部３１から出力画像（Ｃ）が出力されているか否かを問い合わせてもよい。また、このような判断は説明の便宜を考慮したもので、キャプチャデバイス１１１が映像の信号を検出するか否かにより判断されてよい。
【０１８４】
なお、映像が入力されていない場合とは、ノートＰＣ６と電子黒板２が映像のケーブル（Ｄ−Ｓｕｂ、ＨＤＭＩ（登録商標）、ＤＶＩ等）で接続されていないことをいう。映像のケーブルでノートＰＣ６が電子黒板２に接続されていても、ノートＰＣ６の電源がＯＦＦであるなど映像を入力することができない場合は、映像が入力されていないと判断される。
【０１８５】
ステップＳ１０の判断がＹｅｓの場合、レイアウト管理部３５は、透かし画像（Ｅ）のレイヤを非表示にして、出力画像（Ｃ）のレイヤを表示するように表示重畳部３６に通知（要求）する（ステップＳ２０）。なお、出力画像（Ｃ）のレイヤは、映像が入力されていれば表示されている場合が多く、出力画像（Ｃ）のレイヤを表示させる通知はなくてもよい。
【０１８６】
ステップＳ１０の判断がＮｏの場合、レイアウト管理部３５は、透かし画像（Ｅ）のレイヤを表示にして、出力画像（Ｃ）のレイヤを非表示するように表示重畳部３６に通知（要求）する（ステップＳ３０）。なお、出力画像（Ｃ）のレイヤは、映像が入力されていなければ表示されないので、出力画像（Ｃ）のレイヤを非表示にする通知はなくてもよい。
【０１８７】
このように、出力画像（Ｃ）が表示される場合は透かし画像（Ｅ）が表示されないので、ユーザが透かし画像が邪魔になることがなく、静止画として取り込みたいノートＰＣ６の映像を特定しやすい。出力画像（Ｃ）が表示されない場合は透かし画像（Ｅ）が表示されるので、「Confidential」と表示されればユーザはストローク画像（Ｂ）及び背景画像（Ｄ）の秘匿性が高いことを把握できる。また、均一な透かし画像が表示されれば、好みの色合いやコントラストでストローク画像（Ｂ）及び背景画像（Ｄ）を目視できる。
【０１８８】
＜静止画の取得処理＞
ノートＰＣ６から電子黒板２に映像が入力されている場合の静止画の取得処理について説明する。
【０１８９】
図１８Ａは映像が入力されている場合に静止画の取得操作が行われた場合の動作を示すフローチャートの一例である。図１８ＢとＣはディスプレイ３に表示された画像の例である。映像が入力されているので、図１８Ａの処理のスタート時、透かし画像（Ｅ）は表示されていない。なお、見やすくするため、ＵＩ画像（Ａ）とストローク画像（Ｂ）は表示していない。
【０１９０】
まず、ユーザがＵＩ画像（Ａ）を操作して静止画を取り込む操作を行う。操作処理部２６はこの操作を受け付ける（ステップＳ１０）。図１８Ｂは静止画の取り込み時の出力画像（Ｃ）を示す。
【０１９１】
静止画として取得されるのは、ストローク画像（Ｂ）及び出力画像（Ｃ）である。ＵＩ画像（Ａ）は取得の対象とならず、透かし画像（Ｅ）は表示されていない（表示されていても透かし画像（Ｅ）は取り込みの対象ではない）。出力画像（Ｃ）が表示されているので背景画像（Ｄ）も表示されていない。ページ処理部３７は画像取得部３１から出力画像（Ｃ）を取得し、ストローク処理部３２からストローク画像（Ｂ）を取得し、背景画像（Ｄ）としてページデータ記憶部３００に記憶する。また、背景画像（Ｄ）が取得されたのでユーザが背景画像（Ｄ）を見たいと判断し、ページ処理部３７は背景生成部３４に背景画像（Ｄ）を送出し、背景生成部３４は表示重畳部３６に背景画像（Ｄ）送出する（ステップＳ２０）。
【０１９２】
また、レイアウト管理部３５は、背景画像（Ｄ）を優先するため出力画像（Ｃ）を非表示にし、更に透かし画像（Ｅ）のレイヤを表示させるように表示重畳部３６に通知する（ステップＳ３０）。
【０１９３】
図１８Ｃは背景画像（Ｄ）として表示された静止画と透かし画像（Ｅ）を示す。このように、静止画（背景画像（Ｄ））を取得した後は、電子黒板２は再び、透かし画像（Ｅ）を表示させることができる。「Confidential」等の文字により、出力画像（Ｃ）では透かし画像（Ｅ）が表示されていなくても背景画像（Ｄ）の秘匿性が高いことをユーザに把握させることができる。
【０１９４】
<<静止画を取り込み後の遷移>>
図１８Ｃに示すように背景画像（Ｄ）と透かし画像（Ｅ）が表示されている間もノートＰＣ６から映像が入力されている。一定時間の経過後、再び、図１７の処理が実行され、ディスプレイ３の表示状態が、背景画像（Ｄ）と透かし画像（Ｅ）を表示する状態から出力画像（Ｃ）を表示する状態に切り替わる。一定時間が経過する前にディスプレイ３の表示状態を切り替えるには、ユーザは背景画像（Ｄ）及び透かし画像（Ｅ）から出力画像（Ｃ）に切り替える操作を行う。
【０１９５】
図１９を用いて説明する。図１９ＡはノートＰＣ６の映像を電子黒板２が全画面で表示している出力画像（Ｃ）を示す。電子黒板２が出力画像（Ｃ）を表示している場合、ノートＰＣ６の映像を取り込むための映像アイコン６２２が強調表示される。例えば、映像アイコン６２２に所定の色の枠が表示されたり、枠が太くなったり、点滅したりする。
【０１９６】
次に、ユーザがカメラアイコン６２１を押下すると、図１９Ｂに示すように、出力画像（Ｃ）が静止画として取り込まれる。図１９Ｂは、図１８Ａの終了時の段階を示す。つまり、背景画像（Ｄ）と透かし画像（Ｅ）が表示されている。静止画が取り込まれると新しいページが生成され、ディスプレイ３の下部にサムネイル６２３が表示される。また、出力画像（Ｃ）が表示されていないので、映像アイコン６２２が強調表示されなくなる。また、現在表示中のサムネイル６２３が強調表示されていることから、ユーザは背景画像（Ｄ）であることを把握できる。
【０１９７】
この図１９Ｂの状態で一定時間(たとえば３０秒)が経過すると、図１７の処理の開始に移行する。図１９Ｃは図１７の処理が実行された状態を示す。背景画像（Ｄ）と透かし画像（Ｅ）が出力画像（Ｃ）に切り替わっている。このため、映像アイコン６２２が強調表示される。また、現在表示中のサムネイル６２３が強調表示されないことから、ユーザはディスプレイ３に表示された画像が出力画像（Ｃ）であることを把握できる。
【０１９８】
以上説明したように、ユーザにより行われる所定の操作に応答して、ページ処理部３７は、ディスプレイ３に表示されている第二の画像（ノートＰＣ６から電子黒板２に入力された映像）を静止画として取得（キャプチャ）する。所定の操作が行われた後に、映像重畳部２８は、ディスプレイ３に、取得された静止画と第一画像（文字「Confidential」）を所定時間表示する。所定時間が経過した後に、映像重畳部２８は再び第二の画像（ノートＰＣ６から電子黒板２に入力された映像）を表示する。
【０１９９】
図１９Ｂの状態で一定時間が経過する前に図１９Ｃの状態にディスプレイ３の表示状態を移行させるには、ユーザが映像アイコン６２２を押下する。
【０２００】
<<映像が入力されていない場合>>
映像が入力されていない場合、出力画像（Ｃ）は非表示で透かし画像（Ｅ）が表示されている。また、ディスプレイ３の表示状態は、ユーザが手書きしたストローク画像（Ｂ）が表示され、背景画像（Ｄ）も表示されている状態である。映像が入力されていない場合、ユーザは取り込む操作を行えない。
【０２０１】
＜映像の入力に対する透かし画像の表示と非表示の切り替えの変形例＞
図１７の処理では、映像が入力されていれば透かし画像（Ｅ）を非表示にして、映像が入力されていなければ透かし画像（Ｅ）を表示した。更に、ノートＰＣ６から電子黒板２に入力された映像が動画か否かに基づいて、透かし画像（Ｅ）の表示と非表示を切り替えてもよい。つまり、動画が入力されているかどうかが表示条件となる。
【０２０２】
図２０は、レイアウト管理部３５が映像の入力の有無に応じて透かし画像（Ｅ）の表示と非表示を切り替える手順を示すフローチャートの変形例である。なお、図２０の説明では図１７との相違を主に説明する。
【０２０３】
映像が入力されている場合（ステップＳ１０のＹｅｓ）、レイアウト管理部３５は入力されている映像（入力映像）が動画か否かを判断する（ステップＳ１５）。この動画は、例えば、一定時間間隔で撮影された一連の画像を連続表示する映像でもよい。また、動画は、ユーザがノートＰＣ６を操作することで時間的に変化する映像でもよい。例えば、画面を切り替えたりブラウザソフトウェアでスクロールしたりするような場合も、映像は動画である。
【０２０４】
映像が動画であるかどうかは、画像取得部３１が取得する時系列のフレームの差分演算により判断できる。フレームの全体で差分演算を行うと負荷が高いような場合は、フレームの一部にのみ行ってもよい。
【０２０５】
映像が動画であると判断した場合（ステップＳ１５においてＹｅｓ）、レイアウト管理部３５は、透かし画像（Ｅ）のレイヤを非表示にして、出力画像（Ｃ）のレイヤを表示するように表示重畳部３６に通知（要求）する（ステップＳ２０）。したがって、この場合、映像重畳部２８は、透かし画像（Ｅ）を表示せずに出力画像（Ｃ）を表示する。
【０２０６】
映像が動画ではないと判断した場合（ステップＳ１５においてＮｏ）、レイアウト管理部３５は、透かし画像（Ｅ）のレイヤと出力画像（Ｃ）のレイヤをどちらも表示するように表示重畳部３６に通知（要求）する（ステップＳ４０）。したがって、この場合、映像重畳部２８は、透かし画像（Ｅ）と出力画像（Ｃ）を表示する。より具体的には、表示重畳部３６は透かし画像（Ｅ）と出力画像（Ｃ）を重畳し、映像重畳部２８は、表示重畳部３６により重畳された透かし画像（Ｅ）と出力画像（Ｃ）をディスプレイ３に表示する。別の言い方をすれば、映像重畳部２８は、透かし画像（Ｅ）と出力画像（Ｃ）を重畳することで得られた画像を表示する。
【０２０７】
動画が入力される場合は、ユーザがどの映像を見たいのか不明であるし、映像を探すために透かし画像（Ｅ）が邪魔になるおそれがあるが、図２０の処理によれば動画が入力される場合は透かし画像（Ｅ）を非表示にできる。別の言い方をすれば、透かし画像（Ｅ）に妨げられることなく、ユーザは、ノートＰＣ６から入力された動画を構成する複数の画像を見ることができる。これにより、例えば、ユーザは、複数の画像のうちの一つの画像を、所望のタイミング（時点）で取得（キャプチャ）することができる。また、静止画が入力される場合は、ユーザがゆっくりと映像を見ることができるので、電子黒板２は、透かし画像（Ｅ）はそれほど邪魔にならないと判断し、透かし画像（Ｅ）と出力画像（Ｃ）を表示する。したがって、出力画像（Ｃ）を表示したまま、映像が変化している場合は透かし画像（Ｅ）を非表示にして、映像が変化しなくなると透かし画像（Ｅ）を表示させるような電子黒板２の使い方が可能になる。映像が静止すると例えば「Confidential」という文字を表示できるので、映像が入力されている場合でも静止画なら透かし画像（Ｅ）を表示できる。別の言い方をすれば、ノートＰＣ６から入力された映像（入力画像）がディスプレイ３上において所定時間以上変化しない場合には、映像重畳部２８は透かし画像（Ｅ）と出力画像（Ｃ）をディスプレイ３に重畳して表示してもよい。ノートＰＣ６から入力された映像（入力画像）がディスプレイ３上において所定時間未満の間隔で変化する場合には、映像重畳部２８は透かし画像（Ｅ）を表示せずに出力画像（Ｃ）をディスプレイ３に表示してもよい。
【０２０８】
＜まとめ＞
以上説明したように、本実施形態の電子黒板２は、ユーザが操作しなくても、透かし画像の表示と非表示をノートＰＣ６の映像の入力の有無により切り替えることができる。
【０２０９】
＜その他の適用例＞
以上、本発明を実施するための最良の形態について実施例を用いて説明したが、本発明はこうした実施例に何等限定されるものではなく、本発明の要旨を逸脱しない範囲内において種々の変形及び置換を加えることができる。
【０２１０】
例えば、透かし画像は、白地に文字又は均一色に限られず、画像が含む情報に関係なく画像であれば透かし画像となりうる。
【０２１１】
また、本実施形態では、電子黒板２に有線でノートＰＣ６が接続された場合を説明したが、ノートＰＣ６は無線で映像を電子黒板２に入力してもよい。この場合、映像の入力の有無は無線ＬＡＮなどの通信装置が映像を受信したか否かにより判断される。
【０２１２】
更に、ノートＰＣ６と電子黒板２が１対１で接続又は通信する場合だけでなく、ネットワーク（有線又は無線）で通信する場合も本実施形態を適用できる。
【０２１３】
また、図４などの構成例は、電子黒板２による処理の理解を容易にするために、主な機能に応じて分割したものである。処理単位の分割の仕方や名称によって本願発明が制限されることはない。電子黒板２の処理は、処理内容に応じて更に多くの処理単位に分割することもできる。また、１つの処理単位が更に多くの処理を含むように分割することもできる。
【０２１４】
なお、透かし画像生成部３８は第一の画像取得手段の一例であり、画像取得部３１は第二の画像取得手段の一例であり、レイアウト管理部３５は画像判断手段の一例であり、表示重畳部３６は画像重畳手段の一例であり、映像重畳部２８は表示手段の一例である。また、透かし画像は第一の画像の一例であり、出力画像は第二の画像の一例であり。ファイル入力部４２ａは画像取り込み手段の一例であり、操作処理部２６は透明度受付手段の一例であり、ページ処理部３７は静止画取得手段の一例である。
【０２１５】
なお、上記した実施形態に係る画像処理装置は、１以上のプログラムを記憶したデバイスメモリーと、１以上のプロセッサによって実現されてもよい。１以上のプロセッサは、１以上のプログラムを実行することで、実施形態において記載された処理を実行する。例えば、デバイスメモリーと１以上のプロセッサは、実施形態に記載されたような機能を実現（実装）することができる。例えば、デバイスメモリーと１以上のプロセッサは、実施形態において記載されたようなハードウェア要素によって実現（実装）されてもよい。また、画像処理装置などのコンピュータに処理を実行させるための１以上のプログラムは、不揮発性の記録媒体に記憶されていてもよい。
【０２１６】
以上、本発明を実施例に基づいて説明したが、本発明は上記実施例に限定されるものではなく、特許請求の範囲に記載の範囲内で様々な変形が可能である。
【０２１７】
本願は、日本特許庁に２０１５年１２月２５日に出願された基礎出願２０１５−２５３０２０号及び日本特許庁に２０１６年１０月２５日に出願された基礎出願２０１６−２０９０２３号の優先権を主張するものであり、その全内容を参照によりここに援用する。
【符号の説明】
【０２１８】
２      電子黒板
３      ディスプレイ
４      電子ペン
３０    画像処理部
３１    画像取得部
３３    ＵＩ画像生成部
３４    背景生成部
３５    レイアウト管理部
３６    表示重畳部
３７    ページ処理部
３８    透かし画像生成部
【先行技術文献】
【特許文献】
【０２１９】
【特許文献１】特開２０１３-２１０９５７号公報
【図１Ａ】
2017110505.tif 000014
【図１Ｂ】
2017110505.tif 000015
【図１Ｃ】
2017110505.tif 000016
【図１Ｄ】
2017110505.tif 000017
【図２】
2017110505.tif 000018
【図３】
2017110505.tif 000019
【図４】
2017110505.tif 000020
【図５】
2017110505.tif 000021
【図６】
2017110505.tif 000022
【図７】
2017110505.tif 000023
【図８】
2017110505.tif 000024
【図９】
2017110505.tif 000025
【図１０Ａ】
2017110505.tif 000026
【図１０Ｂ】
2017110505.tif 000027
【図１１Ａ】
2017110505.tif 000028
【図１１Ｂ】
2017110505.tif 000029
【図１２】
2017110505.tif 000030
【図１３Ａ】
2017110505.tif 000031
【図１３Ｂ】
2017110505.tif 000032
【図１４】
2017110505.tif 000033
【図１５】
2017110505.tif 000034
【図１６】
2017110505.tif 000035
【図１７】
2017110505.tif 000036
【図１８Ａ】
2017110505.tif 000037
【図１８Ｂ】
2017110505.tif 000038
【図１８Ｃ】
2017110505.tif 000039
【図１９Ａ】
2017110505.tif 000040
【図１９Ｂ】
2017110505.tif 000041
【図１９Ｃ】
2017110505.tif 000042
【図２０】
2017110505.tif 000043
【国際調査報告】
2017110505.tif 000044
2017110505.tif 000045